(57)【要約】      （修正有）【課題】水媒体を加熱する給湯運転を行う利用ユニットと空気媒体の冷却や加熱を行う利用ユニットとが両者に共通の熱源ユニットに接続されたヒートポンプシステムにおいて、所望の運転に適した温調モードの切り換えが行われるようにする。【解決手段】ヒートポンプシステム１は、水媒体を加熱する給湯運転を行う第１利用ユニット４ａと空気媒体の冷却又は加熱する冷暖房運転を行う第２利用ユニット１０ａとが、個別に給湯運転、冷房運転又は暖房運転を選択して運転できない状態で、両者に共通の熱源ユニット２に接続された構成を有しており、第１利用側コントローラ７７ａが指令している温調モードとしての熱源側切換機構２３の切換状態とは異なる温調モードに切り換えて運転することが可能である。【選択図】図１
2010196953.tif 000002
【特許請求の範囲】
【請求項１】
冷媒を圧縮する圧縮機（２１）と、熱源側熱交換器（２４）と、前記熱源側熱交換器を冷媒の放熱器として機能させる放熱運転状態と前記熱源側熱交換器を冷媒の蒸発器として機能させる蒸発運転状態とを切り換えることが可能な熱源側切換機構（２３）とを有する熱源ユニット（２）と、
前記熱源ユニットに接続されており、前記熱源側切換機構が前記蒸発運転状態において冷媒の放熱器として機能する第１利用側熱交換器（４１ａ）を有しており、前記第１利用側熱交換器における冷媒の放熱によって水媒体を加熱する給湯運転を行うことが可能な第１利用ユニット（４ａ）と、
前記熱源ユニットに接続されており、前記熱源側切換機構が前記放熱運転状態において冷媒の蒸発器として機能し、前記熱源側切換機構が前記蒸発運転状態において冷媒の放熱器として機能する第２利用側熱交換器（１０１ａ、１０１ｂ）を有しており、前記第２利用側熱交換器における冷媒の蒸発によって空気媒体を冷却する冷房運転を行い、前記第２利用側熱交換器における冷媒の放熱によって空気媒体を加熱する暖房運転を行うことが可能な第２利用ユニット（１０ａ、１０ｂ）とを備え、
前記第１利用ユニット及び前記第２利用ユニットは、個別に前記給湯運転、前記冷房運転又は前記暖房運転を選択して運転できないものであり、
前記第１利用ユニットに指令を行う第１利用側コントローラ（７７ａ）、前記第２利用ユニットに指令を行う第２利用側コントローラ（１０８ａ、１０８ｂ）、又は、前記第１利用側コントローラ及び前記第２利用側コントローラとは別の集中コントローラ（３７）が指令している温調モードとしての前記熱源側切換機構の切換状態とは異なる温調モードに切り換えて運転することが可能である、
ヒートポンプユニット（１、２００、３００、４００）。
【請求項２】
前記温調モードが前記放熱運転状態になっている際において、前記第１利用側コントローラ（７７ａ）から前記第１利用ユニット（４ａ）に給湯運転が指令された場合には、前記温調モードを前記蒸発運転状態に切り換えて、前記第１利用ユニットの給湯運転を行う運転である優先給湯運転を行う、請求項１に記載のヒートポンプシステム（１、２００、３００、４００）。
【請求項３】
前記優先給湯運転中は、前記第２利用ユニット（１０ａ、１０ｂ）の冷房運転を禁止する、請求項２に記載のヒートポンプシステム（１、２００、３００、４００）。
【請求項４】
前記第２利用ユニット（１０ａ、１０ｂ）は、前記第２利用側熱交換器（１０１ａ、１０１ｂ）に空気媒体を供給する利用側ファン（１０５ａ、１０５ｂ）をさらに有しており、
前記第２利用側コントローラ（１０８ａ、１０８ｂ）から冷房運転が指令されている前記第２利用ユニットについては、前記優先給湯運転中は、冷房運転を停止した状態で前記利用側ファンを運転する、
請求項３に記載のヒートポンプシステム（１、２００、３００、４００）。
【請求項５】
前記第２利用側コントローラ（１０８ａ、１０８ｂ）は、前記優先給湯運転における前記第２利用ユニット（１０ａ、１０ｂ）の冷房運転の停止中においても、冷房運転中である旨の表示を維持する、請求項４に記載のヒートポンプシステム（１、２００、３００、４００）。
【請求項６】
前記温調モードの切り換えは、前記指令された温調モード及び外気温度の少なくとも１つに基づいて行われる、請求項１〜５のいずれかに記載のヒートポンプシステム（１、２００、３００、４００）。
【請求項７】
前記第１利用ユニット（４ａ）は、前記熱源側切換機構（２３）が前記放熱運転状態において、前記第２利用側熱交換器（１０１ａ、１０１ｂ）を冷媒の蒸発器として機能させるとともに、前記第１利用側熱交換器（４１ａ）を冷媒の放熱器として機能させることが可能となるように、前記熱源ユニット（２）に接続されている、請求項１〜６のいずれかに記載のヒートポンプシステム（１、２００、３００、４００）。
【請求項８】
前記温調モードの切り換えは、前記第２利用側コントローラ（１０８ａ、１０８ｂ）によって行われる、請求項１〜７のいずれかに記載のヒートポンプシステム（１、２００、３００、４００）。
【発明の詳細な説明】
【技術分野】
【０００１】
本発明は、ヒートポンプシステム、特に、水媒体を加熱する給湯運転を行う利用ユニットと空気媒体の冷却や加熱を行う利用ユニットとが両者に共通の熱源ユニットに接続されたヒートポンプシステムに関する。
【背景技術】
【０００２】
従来より、特許文献１（特開２０００−４６４１７号公報）に示されるような、床暖房パネルが接続された温水熱交換器と室内暖房を行う室内熱交換器とを有するヒートポンプ式温水床暖房装置がある。このようなヒートポンプ式温水床暖房装置は、主として、温水熱交換器と室内熱交換器とが両者に共通の圧縮機、四路弁及び室外熱交換器等に接続されることによって構成されている。
【発明の概要】
【発明が解決しようとする課題】
【０００３】
上記従来のヒートポンプ式温水床暖房装置を室内熱交換器による室内の冷暖房として使用するとともに、床暖房パネルとともに又は床暖房パネルに代えて貯湯ユニットを温水熱交換器に接続して給湯にも使用することが考えられる。この場合には、空気の冷却／加熱による室内の冷暖房と水の加熱による床暖房等を含む給湯という目的の違いを考慮して、室内の冷暖房用のコントローラ及び給湯用のコントローラを設けるとともに、両コントローラの一方に四路弁の操作を行う機能を持たせるか、又は、四路弁の操作を行うための集中コントローラを設けて、室内冷房、室内暖房、又は、給湯を切り換える際に四路弁の操作を行う必要がある。しかし、ユーザーは、このようなヒートポンプシステムを、単に、冷暖房装置と給湯装置とが併存したものと受け取ってしまうため、四路弁の操作の必要性を認識できず、四路弁の操作を忘れたり、操作ミスを生じるおそれがあり、また、四路弁の操作も煩雑である。
【０００４】
このように、水媒体を加熱する給湯運転を行う利用ユニットと空気媒体の冷却や加熱を行う利用ユニットとが両者に共通の熱源ユニットに接続されたヒートポンプシステムでは、各利用ユニット自体の操作だけでなく、四路弁の切換状態というシステム全体の温調モードの切り換えが必要となるため、操作が煩雑になり、また、温調モードの切り換え忘れや切り換えミスによって、所望の運転を行うことができないおそれがある。
【０００５】
本発明の課題は、水媒体を加熱する給湯運転を行う利用ユニットと空気媒体の冷却や加熱を行う利用ユニットとが両者に共通の熱源ユニットに接続されたヒートポンプシステムにおいて、所望の運転に適した温調モードの切り換えが行われるようにすることにある。
【課題を解決するための手段】
【０００６】
第１の発明にかかるヒートポンプシステムは、熱源ユニットと、熱源ユニットに接続された第１利用ユニット及び第２利用ユニットとを備えている。熱源ユニットは、冷媒を圧縮する圧縮機と、熱源側熱交換器と、熱源側熱交換器を冷媒の放熱器として機能させる放熱運転状態と熱源側熱交換器を冷媒の蒸発器として機能させる蒸発運転状態とを切り換えることが可能な熱源側切換機構とを有している。第１利用ユニットは、熱源側切換機構が蒸発運転状態において冷媒の放熱器として機能する第１利用側熱交換器を有しており、第１利用側熱交換器における冷媒の放熱によって水媒体を加熱する給湯運転を行うことが可能である。第２利用ユニットは、熱源側切換機構が放熱運転状態において冷媒の蒸発器として機能し、熱源側切換機構が蒸発運転状態において冷媒の放熱器として機能する第２利用側熱交換器を有しており、第２利用側熱交換器における冷媒の蒸発によって空気媒体を冷却する冷房運転を行い、第２利用側熱交換器における冷媒の放熱によって空気媒体を加熱する暖房運転を行うことが可能である。そして、このヒートポンプシステムは、第１利用ユニット及び第２利用ユニットは、個別に給湯運転、冷房運転又は暖房運転を選択して運転できないものであり、第１利用ユニットに指令を行う第１利用側コントローラ、第２利用ユニットに指令を行う第２利用側コントローラ、又は、第１利用側コントローラ及び第２利用側コントローラとは別の集中コントローラが指令している温調モードとしての熱源側切換機構の切換状態とは異なる温調モードに切り換えて運転することが可能である。
【０００７】
このヒートポンプシステムでは、第１利用ユニットに指令を行う第１利用側コントローラ、第２利用ユニットに指令を行う第２利用側コントローラ、又は、第１利用側コントローラ及び第２利用側コントローラとは別の集中コントローラによって、例えば、給湯運転のみを行う場合には、温調モードを蒸発運転状態に切り換えた上で、第１利用側コントローラの指令によって第１利用ユニットの運転が行われ、冷房運転のみを行う場合には、温調モードを放熱運転状態に切り換えた上で、第２利用側コントローラの指令によって第２利用ユニットの運転が行われ、暖房運転のみを行う場合には、温調モードを蒸発運転状態に切り換えた上で、第２利用側コントローラの指令によって第２利用ユニットの運転が行われ、給湯運転とともに暖房運転を行う場合には、温調モードを蒸発運転状態に切り換えた上で、第１利用側コントローラの指令によって第１利用ユニットの運転が行われるとともに第２利用側コントローラの指令によって第２利用ユニットの運転が行われる。そして、温調モードを放熱運転状態に切り換えたままでは、給湯運転や暖房運転を行うことができず、また、温調モードを蒸発運転状態に切り換えたままでは、冷房運転を行うことができない。
【０００８】
このように、第１利用ユニット及び第２利用ユニットにおいて所望の運転を行うためには、第１利用側コントローラから第１利用ユニットへの給湯運転の指令や第２利用側コントローラから第２利用ユニットへの冷房運転又は暖房運転の指令だけでなく、第１及び第２利用ユニットに共通の熱源ユニットにおける運転状態を決定する熱源側切換機構の切換状態である温調モードの切り換えが必要であり、その意味において、このヒートポンプシステムは、第１利用ユニット及び第２利用ユニットが個別に給湯運転、冷房運転又は暖房運転を選択して運転できないものとなっている。
【０００９】
そこで、このヒートポンプシステムでは、第１利用ユニットに指令を行う第１利用側コントローラ、第２利用ユニットに指令を行う第２利用側コントローラ、又は、第１利用側コントローラ及び第２利用側コントローラとは別の集中コントローラが指令している温調モードとしての熱源側切換機構の切換状態とは異なる温調モードに切り換えて運転することを可能にしている。
【００１０】
これにより、このヒートポンプシステムでは、例えば、温調モードが放熱運転状態に切り換えられた状態において給湯運転を行う場合には、温調モードが蒸発運転状態に切り換えられる等のように、ユーザーが温調モードを切り換える操作（指令）を行うことなく、所望の運転に適した温調モードに切り換えを行うことができる。
【００１１】
第２の発明にかかるヒートポンプシステムは、第１の発明にかかるヒートポンプシステムにおいて、温調モードが放熱運転状態になっている際において、第１利用側コントローラから第１利用ユニットに給湯運転が指令された場合には、温調モードを蒸発運転状態に切り換えて、第１利用ユニットの給湯運転を行う運転である優先給湯運転を行う。
【００１２】
このヒートポンプシステムでは、温調モードが放熱運転状態になっている際において、第１利用側コントローラから第１利用ユニットに給湯運転が指令された場合には、温調モードを放熱運転状態から蒸発運転状態に切り換えることで、第１利用ユニットの給湯運転を行うことができるため、夏期等の冷房運転が必要な運転条件においても、ユーザーが温調モードを蒸発運転状態に切り換えする操作（指令）を行うことなく、必要に応じて給湯運転を行うことができる。
【００１３】
第３の発明にかかるヒートポンプシステムは、第２の発明にかかるヒートポンプシステムにおいて、優先給湯運転中は、第２利用ユニットの冷房運転を禁止する。
【００１４】
優先給湯運転を行うために、温調モードを放熱運転状態から蒸発運転状態に切り換えると、第２利用ユニットが暖房運転を行う状態に切り換えられることになり、優先給湯運転が開始されるまで第２利用ユニットが冷房運転を行っていた場合には、第２利用ユニットが暖房運転を行う状態になり、また、優先給湯運転中に第２利用側コントローラから第２利用ユニットに冷房運転が指令された場合に暖房運転を開始してしまうため、室内の快適性が損なわれて好ましくない。
【００１５】
そこで、このヒートポンプシステムでは、優先給湯運転を行う際には、第２利用ユニットの冷房運転を禁止するようにしている。
【００１６】
これにより、このヒートポンプシステムでは、優先給湯運転を行う際に、室内の快適性が損なわれることを防ぐことができる。
【００１７】
第４の発明にかかるヒートポンプシステムは、第３の発明にかかるヒートポンプシステムにおいて、第２利用ユニットは、第２利用側熱交換器に空気媒体を供給する利用側ファンをさらに有しており、第２利用側コントローラから冷房運転が指令されている第２利用ユニットについては、優先給湯運転中は、冷房運転を停止した状態で利用側ファンを運転する。
【００１８】
このヒートポンプシステムでは、優先給湯運転において、第２利用ユニットの冷房運転を禁止するため、この際に、第２利用側コントローラから冷房運転が指令されている第２利用ユニットについて、利用側ファンの運転も停止してしまうと、ユーザーが第２利用ユニットの故障が発生したものと誤解するおそれがある。
【００１９】
そこで、このヒートポンプシステムでは、第２利用側コントローラから冷房運転が指令されている第２利用ユニットについては、優先給湯運転中は、冷房運転を停止した状態で利用側ファンを運転するようにしている。
【００２０】
これにより、このヒートポンプシステムでは、優先給湯運転を行うことでユーザーが第２利用ユニットの故障が発生したものと誤解しないようにすることができる。
【００２１】
第５の発明にかかるヒートポンプシステムは、第４の発明にかかるヒートポンプシステムにおいて、第２利用側コントローラは、優先給湯運転における第２利用ユニットの冷房運転の停止中においても、冷房運転中である旨の表示を維持する。
【００２２】
このヒートポンプシステムでは、優先給湯運転において、第２利用ユニットの冷房運転を停止することに連動して、第２利用側コントローラにおける第２利用ユニットの運転状態の表示を変更してしまうと、ユーザーが第２利用ユニットの故障が発生したものと誤解するおそれがある。
【００２３】
そこで、このヒートポンプシステムでは、優先給湯運転における第２利用ユニットの冷房運転の停止中においても、第２利用側コントローラが冷房運転中である旨の表示を維持するようにしている。
【００２４】
これにより、このヒートポンプシステムでは、優先給湯運転を行うことでユーザーが第２利用ユニットの故障が発生したものと誤解しないようにすることができる。
【００２５】
第６の発明にかかるヒートポンプシステムは、第１〜第５の発明のいずれかにかかるヒートポンプシステムにおいて、温調モードの切り換えは、指令された温調モード及び外気温度の少なくとも１つに基づいて行われる。
【００２６】
このヒートポンプシステムでは、温調モードの切り換えを指令された温調モード及び外気温度の少なくとも１つに基づいて行うようにしているため、温調モードの切り換えを適切に行うことができる。
【００２７】
第７の発明にかかるヒートポンプシステムは、第１〜第６の発明のいずれかにかかるヒートポンプシステムにおいて、第１利用ユニットは、熱源側切換機構が放熱運転状態において、第２利用側熱交換器を冷媒の蒸発器として機能させるとともに、第１利用側熱交換器を冷媒の放熱器として機能させることが可能となるように、熱源ユニットに接続されている。
【００２８】
このヒートポンプシステムでは、温調モードが放熱運転状態であっても、第２利用側熱交換器を冷媒の蒸発器として機能させるとともに、第１利用側熱交換器を冷媒の放熱器として機能させることが可能となるように、熱源ユニットに接続されているため、給湯運転とともに冷房運転を行う排熱給湯運転を行う場合には、温調モードを放熱運転状態に切り換えた上で、第１利用側コントローラの指令によって第１利用ユニットの運転が行われるとともに第２利用側コントローラの指令によって第２利用ユニットの運転が行われる。
【００２９】
しかし、このような排熱給湯運転を行う場合には、第２利用側熱交換器における蒸発負荷に見合う分の第１利用側熱交換器における放熱負荷によって給湯運転が行われることになるため、所望の給湯負荷をまかなうことができないこともあり、この場合には、温調モードを蒸発運転状態に切り換えて給湯運転を行う必要がある。また、春期や秋期等には、必要に応じて冷房運転や暖房運転を行うこともあり、この場合にも、温調モードの切り換えが必要である。
【００３０】
このように、このヒートポンプシステムのような、排熱給湯運転を行うことが可能な構成であっても、温調モードの切り換えが必要であり、その意味において、このヒートポンプシステムも、第１利用ユニット及び第２利用ユニットが個別に給湯運転、冷房運転又は暖房運転を選択して運転できないものであるといえる。
【００３１】
そこで、このヒートポンプシステムにおいても、第１利用ユニットに指令を行う第１利用側コントローラ、第２利用ユニットに指令を行う第２利用側コントローラ、又は、第１利用側コントローラ及び第２利用側コントローラとは別の集中コントローラが指令している温調モードとしての熱源側切換機構の切換状態とは異なる温調モードに切り換えて運転することを可能にしている。
【００３２】
これにより、このヒートポンプシステムでは、ユーザーが温調モードを切り換える操作（指令）を行うことなく、所望の運転に適した温調モードに切り換えを行うことができる。
【００３３】
第８の発明にかかるヒートポンプシステムは、第１〜第７の発明のいずれかにかかるヒートポンプシステムにおいて、温調モードの切り換えは、第２利用側コントローラによって行われる。
【００３４】
このヒートポンプシステムでは、指令された温調モードとは異なる温調モードに切り換えて運転することを可能にすることができればよいため、基本的には、第１利用側コントローラ、第２利用側コントローラ、又は、集中コントローラのいずれに温調モードの切り換えを行わせるようにしてもよい。
【００３５】
しかし、集中コントローラに温調モードの切り換えを行わせるようにすると、例えば、温調モードが蒸発運転状態に切り換えられたままで放置されると、夏期等の冷房運転が必要な運転条件においては、第２利用ユニットの冷房運転が行われる毎に、温調モードが放熱運転状態に切り換えられることになり、また、温調モードが放熱運転状態に切り換えられたままで放置されると、冬期等の暖房運転が必要な運転条件においては、第２利用ユニットの暖房運転が行われる毎に、温調モードが蒸発運転状態に切り換えられることになり、温調モードの切り換えが頻繁に行われることになってしまう。また、第１利用側コントローラに温調モードの切り換えを行わせるようにすると、温調モードが蒸発運転状態に切り換えられたままで放置されることがほとんどであるため、夏期等の冷房運転が必要な運転条件においては、第２利用ユニットの冷房運転が行われる毎に、温調モードが放熱運転状態に切り換えられることになってしまい、温調モードの切り換えが頻繁に行われることになってしまう。このように、第１利用側コントローラや集中コントローラに温調モードの切り換えを行わせるようにすると、温調モードの切り換えが頻繁に行われるおそれがあり、好ましくない。
【００３６】
そこで、このヒートポンプシステムでは、温調モードの切り換えを第２利用側コントローラによって行うようにすることで、夏期等の冷房運転が必要な運転条件においては、温調モードが放熱運転状態に切り換えられた状態が維持され、また、冬期等の暖房運転が必要な運転条件においては、温調モードが蒸発運転状態に切り換えられた状態が維持されるようになる。
【００３７】
これにより、このヒートポンプシステムでは、温調モードの切り換えが頻繁に行われることを防ぐことができる。
【発明の効果】
【００３８】
以上の説明に述べたように、本発明によれば、以下の効果が得られる。
【００３９】
第１の発明では、ユーザーが温調モードを切り換える操作（指令）を行うことなく、所望の運転に適した温調モードに切り換えを行うことができる。
【００４０】
第２の発明では、夏期等の冷房運転が必要な運転条件においても、ユーザーが温調モードを蒸発運転状態に切り換えする操作（指令）を行うことなく、必要に応じて給湯運転を行うことができる。
【００４１】
第３の発明では、優先給湯運転を行う際に、室内の快適性が損なわれることを防ぐことができる。
【００４２】
第４の発明では、優先給湯運転を行うことでユーザーが第２利用ユニットの故障が発生したものと誤解しないようにすることができる。
【００４３】
第５の発明では、優先給湯運転を行うことでユーザーが第２利用ユニットの故障が発生したものと誤解しないようにすることができる。
【００４４】
第６の発明では、温調モードの切り換えを適切に行うことができる。
【００４５】
第７の発明では、ユーザーが温調モードを切り換える操作（指令）を行うことなく、所望の運転に適した温調モードに切り換えを行うことができる。
【００４６】
第８の発明では、温調モードの切り換えが頻繁に行われることを防ぐことができる。
【図面の簡単な説明】
【００４７】
【図１】本発明の第１実施形態にかかるヒートポンプシステムの概略構成図である。
【図２】第１実施形態及び第２実施形態における温調モード切り換え制御の制御ロジックである。
【図３】本発明の第２実施形態にかかるヒートポンプシステムの概略構成図である。
【図４】本発明の第３実施形態にかかるヒートポンプシステムの概略構成図である。
【図５】第３実施形態及び第４実施形態における温調モード切り換え制御の制御ロジックである。
【図６】本発明の第４実施形態にかかるヒートポンプシステムの概略構成図である。
【図７】本発明の他の実施形態にかかるヒートポンプシステムの概略構成図である。
【発明を実施するための形態】
【００４８】
以下、本発明にかかるヒートポンプシステムの実施形態について、図面に基づいて説明する。
【００４９】
（第１実施形態）
＜構成＞
−全体−
図１は、本発明の第１実施形態にかかるヒートポンプシステム１の概略構成図である。ヒートポンプシステム１は、蒸気圧縮式のヒートポンプサイクルを利用して水媒体を加熱する運転等を行うことが可能な装置である。
【００５０】
ヒートポンプシステム１は、主として、熱源ユニット２と、第１利用ユニット４ａと、第２利用ユニット１０ａ、１０ｂと、液冷媒連絡管１３と、ガス冷媒連絡管１４と、貯湯ユニット８ａと、温水暖房ユニット９ａと、水媒体連絡管１５ａと、水媒体連絡管１６ａとを備えており、熱源ユニット２と第１利用ユニット４ａと第２利用ユニット１０ａ、１０ｂとが冷媒連絡管１３、１４を介して接続されることによって、熱源側冷媒回路２０を構成し、第１利用ユニット４ａと貯湯ユニット８ａと温水暖房ユニット９ａとが水媒体連絡管１５ａ、１６ａを介して接続されることによって、水媒体回路８０ａを構成している。熱源側冷媒回路２０には、ＨＦＣ系冷媒の一種であるＨＦＣ−４１０Ａが熱源側冷媒として封入されており、また、ＨＦＣ系冷媒に対して相溶性を有するエステル系又はエーテル系の冷凍機油が熱源側圧縮機２２（後述）の潤滑のために封入されている。また、水媒体回路８０ａには、水媒体としての水が循環するようになっている。
【００５１】
−熱源ユニット−
熱源ユニット２は、屋外に設置されており、冷媒連絡管１３、１４を介して利用ユニット４ａに接続されており、熱源側冷媒回路２０の一部を構成している。
【００５２】
熱源ユニット２は、主として、熱源側圧縮機２１と、油分離機構２２と、熱源側切換機構２３と、熱源側熱交換器２４と、熱源側膨張機構２５と、吸入戻し管２６と、過冷却器２７と、熱源側アキュムレータ２８と、液側閉鎖弁２９と、ガス側閉鎖弁３０とを有している。
【００５３】
熱源側圧縮機２１は、熱源側冷媒を圧縮する機構であり、ここでは、ケーシング（図示せず）内に収容されたロータリ式やスクロール式等の容積式の圧縮要素（図示せず）が、同じくケーシング内に収容された熱源側圧縮機モータ２１ａによって駆動される密閉式圧縮機が採用されている。この熱源側圧縮機２１のケーシング内には、圧縮要素において圧縮された後の熱源側冷媒が充満する高圧空間（図示せず）が形成されており、この高圧空間には、冷凍機油が溜められている。熱源側圧縮機モータ２１ａは、インバータ装置（図示せず）によって、その回転数（すなわち、運転周波数）を可変でき、これにより、熱源側圧縮機２１の容量制御が可能になっている。
【００５４】
油分離機構２２は、熱源側圧縮機２１から吐出された熱源側冷媒中に含まれる冷凍機油を分離して熱源側圧縮機の吸入に戻すための機構であり、主として、熱源側圧縮機２１の熱源側吐出管２１ｂに設けられた油分離器２２ａと、油分離器２２ａと熱源側圧縮機２１の熱源側吸入管２１ｃとを接続する油戻し管２２ｂとを有している。油分離器２２ａは、熱源側圧縮機２１から吐出された熱源側冷媒中に含まれる冷凍機油を分離する機器である。油戻し管２２ｂは、キャピラリチューブを有しており、油分離器２２ａにおいて熱源側冷媒から分離された冷凍機油を熱源側圧縮機２１の熱源側吸入管２１ｃに戻す冷媒管である。
【００５５】
熱源側切換機構２３は、熱源側熱交換器２４を熱源側冷媒の放熱器として機能させる熱源側放熱運転状態と熱源側熱交換器２４を熱源側冷媒の蒸発器として機能させる熱源側蒸発運転状態とを切り換え可能な四路切換弁であり、熱源側吐出管２１ｂと、熱源側吸入管２１ｃと、熱源側熱交換器２４のガス側に接続された第１熱源側ガス冷媒管２３ａと、ガス側閉鎖弁３０に接続された第２熱源側ガス冷媒管２３ｂとに接続されている。そして、熱源側切換機構２３は、熱源側吐出管２１ｂと第１熱源側ガス冷媒管２３ａとを連通させるとともに、第２熱源側ガス冷媒管２３ｂと熱源側吸入管２１ｃとを連通（熱源側放熱運転状態に対応、図１の熱源側切換機構２３の実線を参照）したり、熱源側吐出管２１ｂと第２熱源側ガス冷媒管２３ｂとを連通させるとともに、第１熱源側ガス冷媒管２３ａと熱源側吸入管２１ｃとを連通（熱源側蒸発運転状態に対応、図１の熱源側切換機構２３の破線を参照）する切り換えを行うことが可能である。尚、熱源側切換機構２３は、四路切換弁に限定されるものではなく、例えば、複数の電磁弁を組み合わせる等によって、上述と同様の熱源側冷媒の流れの方向を切り換える機能を有するように構成したものであってもよい。
【００５６】
熱源側熱交換器２４は、熱源側冷媒と室外空気との熱交換を行うことで熱源側冷媒の放熱器又は蒸発器として機能する熱交換器であり、その液側に熱源側液冷媒管２４ａが接続されており、そのガス側に第１熱源側ガス冷媒管２３ａが接続されている。この熱源側熱交換器２４において熱源側冷媒と熱交換を行う室外空気は、熱源側ファンモータ３２ａによって駆動される熱源側ファン３２によって供給されるようになっている。
【００５７】
熱源側膨張弁２５は、熱源側熱交換器２４を流れる熱源側冷媒の減圧等を行う電動膨張弁であり、熱源側液冷媒管２４ａに設けられている。
【００５８】
吸入戻し管２６は、熱源側液冷媒管２４ａを流れる熱源側冷媒の一部を分岐して熱源側圧縮機２１の吸入に戻す冷媒管であり、ここでは、その一端が熱源側液冷媒管２４ａに接続されており、その他端が熱源側吸入管２１ｃに接続されている。そして、吸入戻し管２６には、開度制御が可能な吸入戻し膨張弁２６ａが設けられている。この吸入戻し膨張弁２６ａは、電動膨張弁からなる。
【００５９】
過冷却器２７は、熱源側液冷媒管２４ａを流れる熱源側冷媒と吸入戻し管２６を流れる熱源側冷媒（より具体的には、吸入戻し膨張弁２６ａによって減圧された後の冷媒）との熱交換を行う熱交換器である。
【００６０】
熱源側アキュムレータ２８は、熱源側吸入管２１ｃに設けられており、熱源側冷媒回路２０を循環する熱源側冷媒を熱源側吸入管２１ｃから熱源側圧縮機２１に吸入される前に一時的に溜めるための容器である。
【００６１】
液側閉鎖弁２９は、熱源側液冷媒管２４ａと液冷媒連絡管１３との接続部に設けられた弁である。ガス側閉鎖弁３０は、第２熱源側ガス冷媒管２３ｂとガス冷媒連絡管１４との接続部に設けられた弁である。
【００６２】
また、熱源ユニット２には、各種のセンサが設けられている。具体的には、熱源ユニット２には、熱源側圧縮機２１の吸入における熱源側冷媒の圧力である熱源側吸入圧力Ｐｓ１を検出する熱源側吸入圧力センサ３３と、熱源側圧縮機２１の吐出における熱源側冷媒の圧力である熱源側吐出圧力Ｐｄ１を検出する熱源側吐出圧力センサ３４と、熱源側熱交換器２４の液側における熱源側冷媒の温度である熱源側熱交換器温度Ｔｈｘを検出する熱源側熱交温度センサ３５と、外気温度Ｔｏを検出する外気温度センサ３６とが設けられている。
【００６３】
−液冷媒連絡管−
液冷媒連絡管１３は、液側閉鎖弁２９を介して熱源側液冷媒管２４ａに接続されており、熱源側切換機構２３が熱源側放熱運転状態において熱源側冷媒の放熱器として機能する熱源側熱交換器２４の出口から熱源ユニット２外に熱源側冷媒を導出することが可能で、かつ、熱源側切換機構２３が熱源側蒸発運転状態において熱源ユニット２外から熱源側冷媒の蒸発器として機能する熱源側熱交換器２４の入口に熱源側冷媒を導入することが可能な冷媒管である。
【００６４】
−ガス冷媒連絡管−
ガス冷媒連絡管１４は、ガス側閉鎖弁３０を介して第２熱源側ガス冷媒管２３ｂに接続されており、熱源側切換機構２３が熱源側放熱運転状態において熱源ユニット２外から熱源側圧縮機２１の吸入に熱源側冷媒を導入することが可能で、かつ、熱源側切換機構２３が熱源側蒸発運転状態において熱源側圧縮機２１の吐出から熱源ユニット２外に熱源側冷媒を導出することが可能な冷媒管である。
【００６５】
−第１利用ユニット−
第１利用ユニット４ａは、屋内に設置されており、冷媒連絡管１３、１４を介して熱源ユニット２及び第２利用ユニット１０ａ、１０ｂに接続されており、熱源側冷媒回路２０の一部を構成している。また、第１利用ユニット４ａは、水媒体連絡管１５ａ、１６ａを介して貯湯ユニット８ａ及び温水暖房ユニット９ａに接続されており、水媒体回路８０ａの一部を構成している。
【００６６】
第１利用ユニット４ａは、主として、第１利用側熱交換器４１ａと、第１利用側流量調節弁４２ａと、循環ポンプ４３ａとを有している。
【００６７】
第１利用側熱交換器４１ａは、熱源側冷媒と水媒体との熱交換を行うことで熱源側冷媒の放熱器として機能する熱交換器であり、その熱源側冷媒が流れる流路の液側には、第１利用側液冷媒管４５ａが接続されており、その熱源側冷媒が流れる流路のガス側には、第１利用側ガス冷媒管５４ａが接続されており、その水媒体が流れる流路の入口側には、第１利用側水入口管４７ａが接続されており、その水媒体が流れる流路の出口側には、第１利用側水出口管４８ａが接続されている。第１利用側液冷媒管４５ａには、液冷媒連絡管１３が接続されており、第１利用側ガス冷媒管５４ａには、ガス冷媒連絡管１４が接続されており、第１利用側水入口管４７ａには、水媒体連絡管１５ａが接続されており、第１利用側水出口管４８ａには、水媒体連絡管１６ａが接続されている。
【００６８】
第１利用側流量調節弁４２ａは、開度制御を行うことで第１利用側熱交換器４１ａを流れる熱源側冷媒の流量を可変することが可能な電動膨張弁であり、第１利用側液冷媒管４５ａに設けられている。
【００６９】
循環ポンプ４３ａは、水媒体の昇圧を行う機構であり、ここでは、遠心式や容積式のポンプ要素（図示せず）が循環ポンプモータ４４ａによって駆動されるポンプが採用されている。循環ポンプ４３ａは、第１利用側水出口管４８ａに設けられている。循環ポンプモータ４４ａは、インバータ装置（図示せず）によって、その回転数（すなわち、運転周波数）を可変でき、これにより、循環ポンプ４３ａの容量制御が可能になっている。
【００７０】
これにより、第１利用ユニット４ａは、第１利用側熱交換器４１ａをガス冷媒連絡管１３から導入される熱源側冷媒の放熱器として機能させることで、第１利用側熱交換器４１ａにおいて放熱した熱源側冷媒を液冷媒連絡管１３に導出し、第１利用側熱交換器４１ａにおける熱源側冷媒の放熱によって水媒体を加熱する給湯運転を行うことが可能になっている。
【００７１】
また、第１利用ユニット４ａには、各種のセンサが設けられている。具体的には、第１利用ユニット４ａには、第１利用側熱交換器４１ａの液側における熱源側冷媒の温度である第１利用側冷媒温度Ｔｓｃ１を検出する第１利用側熱交温度センサ５０ａと、第１利用側熱交換器４１ａの入口における水媒体の温度である水媒体入口温度Ｔｗｒを検出する水媒体出口温度センサ５１ａと、第１利用側熱交換器４１ａの出口における水媒体の温度である水媒体出口温度Ｔｗｌを検出する水媒体出口温度センサ５２ａとが設けられている。
【００７２】
−貯湯ユニット−
貯湯ユニット８ａは、屋内に設置されており、水媒体連絡管１５ａ、１６ａを介して第１利用ユニット４ａに接続されており、水媒体回路８０ａの一部を構成している。
【００７３】
貯湯ユニット８ａは、主として、貯湯タンク８１ａと、熱交換コイル８２ａとを有している。
【００７４】
貯湯タンク８１ａは、給湯に供される水媒体としての水を溜める容器であり、その上部には、蛇口やシャワー等に温水となった水媒体を送るための給湯管８３ａが接続されており、その下部には、給湯管８３ａによって消費された水媒体の補充を行うための給水管８４ａが接続されている。
【００７５】
熱交換コイル８２ａは、貯湯タンク８１ａ内に設けられており、水媒体回路８０ａを循環する水媒体と貯湯タンク８１ａ内の水媒体との熱交換を行うことで貯湯タンク８１ａ内の水媒体の加熱器として機能する熱交換器であり、その入口には、水媒体連絡管１６ａが接続されており、その出口には、水媒体連絡管１５ａが接続されている。
【００７６】
これにより、貯湯ユニット８ａは、第１利用ユニット４ａにおいて加熱された水媒体回路８０ａを循環する水媒体によって貯湯タンク８１ａ内の水媒体を加熱して温水として溜めることが可能になっている。尚、ここでは、貯湯ユニット８ａとして、第１利用ユニット４ａにおいて加熱された水媒体との熱交換によって加熱された水媒体を貯湯タンクに溜める型式の貯湯ユニットを採用しているが、第１利用ユニット４ａにおいて加熱された水媒体を貯湯タンクに溜める型式の貯湯ユニットを採用してもよい。
【００７７】
また、貯湯ユニット８ａには、各種のセンサが設けられている。具体的には、貯湯ユニット８ａには、貯湯タンク８１ａに溜められる水媒体の温度である貯湯温度Ｔｗｈを検出するための貯湯温度センサ８５ａが設けられている。
【００７８】
−温水暖房ユニット−
温水暖房ユニット９ａは、屋内に設置されており、水媒体連絡管１５ａ、１６ａを介して第１利用ユニット４ａに接続されており、水媒体回路８０ａの一部を構成している。
【００７９】
温水暖房ユニット９ａは、主として、熱交換パネル９１ａを有しており、ラジエータや床暖房パネル等を構成している。
【００８０】
熱交換パネル９１ａは、ラジエータの場合には、室内の壁際等に設けられ、床暖房パネルの場合には、室内の床下等に設けられており、水媒体回路８０ａを循環する水媒体の放熱器として機能する熱交換器であり、その入口には、水媒体連絡管１６ａが接続されており、その出口には、水媒体連絡管１５ａが接続されている。
【００８１】
−水媒体連絡管−
水媒体連絡管１５ａは、貯湯ユニット８ａの熱交換コイル８２ａの出口及び温水暖房ユニット９ａの熱交換パネル９１ａの出口に接続されている。水媒体連絡管１６ａは、貯湯ユニット８ａの熱交換コイル８２ａの入口及び温水暖房ユニット９ａの熱交換パネル９１ａの入口に接続されている。水媒体連絡管１６ａには、水媒体回路８０ａを循環する水媒体を貯湯ユニット８ａ及び温水暖房ユニット９ａの両方、又は、貯湯ユニット８ａ及び温水暖房ユニット９ａのいずれか一方に供給するかの切り換えを行うことが可能な水媒体側切換機構１６１ａが設けられている。この水媒体側切換機構１６１ａは、三方弁からなる。
【００８２】
−第２利用ユニット−
第２利用ユニット１０ａ、１０ｂは、屋内に設置されており、冷媒連絡管１３、１４を介して熱源ユニット２に接続されており、熱源側冷媒回路２０の一部を構成している。
【００８３】
第２利用ユニット１０ａは、主として、第２利用側熱交換器１０１ａと第２利用側流量調節弁１０２ａとを有している。
【００８４】
第２利用側熱交換器１０１ａは、熱源側冷媒と空気媒体としての室内空気との熱交換を行うことで熱源側冷媒の放熱器又は蒸発器として機能する熱交換器であり、その液側に第２利用側液冷媒管１０３ａが接続されており、そのガス側に第２利用側ガス冷媒管１０４ａが接続されている。第２利用側液冷媒管１０３ａには、液冷媒連絡管１３が接続されており、第２利用側ガス冷媒管１０４ａには、ガス冷媒連絡管１４が接続されている。この第２利用側熱交換器１０１ａにおいて熱源側冷媒と熱交換を行う空気媒体は、利用側ファンモータ１０６ａによって駆動される利用側ファン１０５ａによって供給されるようになっている。利用側ファンモータ１０６ａは、インバータ装置（図示せず）によって、その回転数（すなわち、運転周波数）を可変でき、これにより、利用側ファン１０５ａの容量制御が可能になっている。
【００８５】
第２利用側流量調節弁１０２ａは、開度制御を行うことで第２利用側熱交換器１０１ａを流れる熱源側冷媒の流量を可変することが可能な電動膨張弁であり、第２利用側液冷媒管１０３ａに設けられている。
【００８６】
これにより、第２利用ユニット１０ａは、熱源側切換機構２３が熱源側放熱運転状態において、第２利用側熱交換器１０１ａを液冷媒連絡管１３から導入される熱源側冷媒の蒸発器として機能させることで、第２利用側熱交換器１０１ａにおいて蒸発した熱源側冷媒をガス冷媒連絡管１４に導出し、第２利用側熱交換器１０１ａにおける熱源側冷媒の蒸発によって空気媒体を冷却する冷房運転を行うことが可能になっており、熱源側切換機構２３が熱源側蒸発運転状態において第２利用側熱交換器１０１ａがガス冷媒連絡管１４から導入される熱源側冷媒の放熱器として機能して、第２利用側熱交換器１０１ａにおいて放熱した熱源側冷媒を液冷媒連絡管１３に導出し、第２利用側熱交換器１０１ａにおける熱源側冷媒の放熱によって空気媒体を加熱する暖房運転を行うことが可能になっている。
【００８７】
また、第２利用ユニット１０ａには、各種のセンサが設けられている。具体的には、第２利用ユニット１０ａには、室内温度Ｔｒを検出する室内温度センサ１０７ａが設けられている。
【００８８】
尚、第２利用ユニット１０ｂの構成は、第２利用ユニット１０ａの構成と同様であるため、第２利用ユニット１０ｂの構成については、第２利用ユニット１０ａの各部を示す符号の添字「ａ」の代わりに添字「ｂ」を付して、各部の説明を省略する。
【００８９】
−第１利用側コントローラ−
また、ヒートポンプシステム１には、第１利用ユニット４ａの給湯運転の制御設定や制御指令を行う第１利用側コントローラ７７ａが設けられており、ここでは、第１利用ユニット４ａに通信可能に接続されている。
【００９０】
−第２利用側コントローラ−
また、ヒートポンプシステム１には、第２利用ユニット１０ａの冷房運転や暖房運転の制御設定や運転指令を行う第２利用側コントローラ１０８ａが設けられており、第２利用ユニット１０ｂの冷房運転や暖房運転の制御設定や運転指令を行う第２利用側コントローラ１０８ｂが設けられており、ここでは、第２利用ユニット１０ａ、１０ｂに通信可能に接続されている。
【００９１】
＜動作＞
次に、ヒートポンプシステム１の動作について説明する。
【００９２】
ヒートポンプシステム１の運転としては、第１利用ユニット４ａの給湯運転（すなわち、貯湯ユニット８ａ及び／又は温水暖房ユニット９ａの運転）のみを行う給湯運転と、第２利用ユニット１０ａ及び／又は第２利用ユニット１０ｂの冷房運転のみを行う冷房運転と、第２利用ユニット１０ａ及び／又は第２利用ユニット１０ｂの暖房運転のみを行う暖房運転と、第１利用ユニット４ａの給湯運転を行うとともに第２利用ユニット１０ａ及び／又は第２利用ユニット１０ｂの暖房運転を行う給湯暖房運転とがある。
【００９３】
以下、ヒートポンプシステム１の４つの運転における動作について説明する。
【００９４】
−給湯運転−
第１利用ユニット４ａの給湯運転のみを行う場合には、熱源側冷媒回路２０においては、熱源側切換機構２３が熱源側蒸発運転状態（図１の熱源側切換機構２３の破線で示された状態）に切り換えられ、吸入戻し膨張弁２６ａ及び第２利用側流量調節弁１０２ａ、１０２ｂが閉止された状態になる。また、水媒体回路８０ａにおいては、水媒体切換機構１６１ａが貯湯ユニット８ａ及び／又は温水暖房ユニット９ａに水媒体を供給する状態に切り換えられる。ここでは、第２利用側コントローラ１０８ａ、１０８ｂのうちの１つによって、温調モードとしての熱源側切換機構２３の切換状態を熱源側蒸発運転状態に切り換えた上で、第１利用側コントローラ７７ａの運転指令によって、第１利用ユニット４ａ（及び、貯湯ユニット８ａ及び／又は温水暖房ユニット９ａ）の運転（給湯運転）が行われる。
【００９５】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側切換機構２３、第２熱源側ガス冷媒管２３ｂ及びガス側閉鎖弁３０を通じて、熱源ユニット２からガス冷媒連絡管１４に送られる。
【００９６】
ガス冷媒連絡管１４に送られた高圧の熱源側冷媒は、第１利用ユニット４ａに送られる。第１利用ユニット４ａに送られた高圧の熱源側冷媒は、第１利用側ガス冷媒管５４ａを通じて、第１利用側熱交換器４１ａに送られる。第１利用側熱交換器４１ａに送られた高圧の熱源側冷媒は、第１利用側熱交換器４１ａにおいて、循環ポンプ４３ａによって水媒体回路８０ａを循環する水媒体と熱交換を行って放熱する。第１利用側熱交換器４１ａにおいて放熱した高圧の熱源側冷媒は、第１利用側流量調節弁４２ａ及び第１利用側液冷媒管４５ａを通じて、第１利用ユニット４ａから液冷媒連絡管１３に送られる。
【００９７】
液冷媒連絡管１３に送られた熱源側冷媒は、熱源ユニット２に送られる。熱源ユニット２に送られた熱源側冷媒は、液側閉鎖弁２９を通じて、過冷却器２７に送られる。過冷却器２７に送られた熱源側冷媒は、吸入戻し管２６に熱源側冷媒が流れていないため、熱交換を行うことなく、熱源側膨張弁２５に送られる。熱源側膨張弁２５に送られた熱源側冷媒は、熱源側膨張弁２５において減圧されて、低圧の気液二相状態になり、熱源側液冷媒管２４ａを通じて、熱源側熱交換器２４に送られる。熱源側熱交換器２４に送られた低圧の冷媒は、熱源側熱交換器２４において、熱源側ファン３２によって供給される室外空気と熱交換を行って蒸発する。熱源側熱交換器２４において蒸発した低圧の熱源側冷媒は、第１熱源側ガス冷媒管２３ａ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【００９８】
一方、水媒体回路８０ａにおいては、第１利用側熱交換器４１ａにおける熱源側冷媒の放熱によって水媒体回路８０ａを循環する水媒体が加熱される。第１利用側熱交換器４１ａにおいて加熱された水媒体は、第１利用側水出口管４８ａを通じて、循環ポンプ４３ａに吸入され、昇圧された後に、第１利用ユニット４ａから水媒体連絡管１６ａに送られる。水媒体連絡管１６ａに送られた水媒体は、水媒体側切換機構１６１ａを通じて、貯湯ユニット８ａ及び／又は温水暖房ユニット９ａに送られる。貯湯ユニット８ａに送られた水媒体は、熱交換コイル８２ａにおいて貯湯タンク８１ａ内の水媒体と熱交換を行って放熱し、これにより、貯湯タンク８１ａ内の水媒体を加熱する。温水暖房ユニット９ａに送られた水媒体は、熱交換パネル９１ａにおいて放熱し、これにより、室内の壁際等を加熱したり室内の床を加熱する。
【００９９】
このようにして、第１利用ユニット４ａの給湯運転のみを行う給湯運転における動作が行われる。
【０１００】
−冷房運転−
第２利用ユニット１０ａ及び／又は第２利用ユニット１０ｂの冷房運転のみを行う場合には、熱源側冷媒回路２０においては、熱源側切換機構２３が熱源側放熱運転状態（図１の熱源側切換機構２３の実線で示された状態）に切り換えられ、第１利用側流量調節弁４２ａが閉止された状態になる。ここでは、第２利用側コントローラ１０８ａ、１０８ｂのうちの１つによって、温調モードとしての熱源側切換機構２３の切換状態を熱源側放熱運転状態に切り換えた上で、第２利用側コントローラ１０８ａ及び／又は第２利用側コントローラ１０８ｂの運転指令によって、第２利用ユニット１０ａ及び／又は第２利用ユニット１０ｂの運転（冷房運転）が行われる。
【０１０１】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側切換機構２３及び第１熱源側ガス冷媒管２３ａを通じて、熱源側熱交換器２４に送られる。熱源側熱交換器２４に送られた高圧の熱源側冷媒は、熱源側熱交換器２４において、熱源側ファン３２によって供給される室外空気と熱交換を行って放熱する。熱源側熱交換器において放熱した高圧の熱源側冷媒は、熱源側膨張弁２５を通じて、過冷却器２７に送られる。過冷却器２７に送られた熱源側冷媒は、熱源側液冷媒管２４ａから吸入戻し管２６に分岐された熱源側冷媒と熱交換を行って過冷却状態になるように冷却される。吸入戻し管２６を流れる熱源側冷媒は、熱源側吸入管２１ｃに戻される。過冷却器２７において冷却された熱源側冷媒は、熱源側液冷媒管２４ａ及び液側閉鎖弁２９を通じて、熱源ユニット２から液冷媒連絡管１３に送られる。
【０１０２】
液冷媒連絡管１３に送られた高圧の熱源側冷媒は、第２利用ユニット１０ａ、１０ｂ（ここでは、第２利用ユニット１０ａ、１０ｂの両方を冷房運転するものとして説明する）に送られる。第２利用ユニット１０ａ、１０ｂに送られた高圧の熱源側冷媒は、第２利用側流量調節弁１０２ａ、１０２ｂに送られる。第２利用側流量調節弁１０２ａ、１０２ｂに送られた高圧の熱源側冷媒は、第２利用側流量調節弁１０２ａ、１０２ｂにおいて減圧されて、低圧の気液二相状態になり、第２利用側液冷媒管１０３ａ、１０３ｂを通じて、第２利用側熱交換器１０１ａ、１０１ｂに送られる。第２利用側熱交換器１０１ａ、１０１０ｂに送られた低圧の熱源側冷媒は、第２利用側熱交換器１０１ａ、１０１ｂにおいて、利用側ファン１０５ａ、１０５ｂによって供給される空気媒体と熱交換を行って蒸発し、これにより、室内の冷房を行う。第２利用側熱交換器１０１ａ、１０１ｂにおいて蒸発した低圧の熱源側冷媒は、第２利用側ガス冷媒管１０４ａ、１０４ｂを通じて、第２利用ユニット１０ａ、１０ｂからガス冷媒連絡管１４に送られる。
【０１０３】
ガス冷媒連絡管１４に送られた低圧の熱源側冷媒は、熱源ユニット２に送られる。熱源ユニット２に送られた低圧の熱源側冷媒は、ガス側閉鎖弁３０、第２熱源側ガス冷媒管２３ｂ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０１０４】
このようにして、第２利用ユニット１０ａ及び／又は第２利用ユニット１０ｂの冷房運転のみを行う冷房運転における動作が行われる。
【０１０５】
−暖房運転−
第２利用ユニット１０ａ及び／又は第２利用ユニット１０ｂの暖房運転のみを行う場合には、熱源側冷媒回路２０においては、熱源側切換機構２３が熱源側放熱運転状態（図１の熱源側切換機構２３の破線で示された状態）に切り換えられ、吸入戻し膨張弁２６ａ及び第１利用側流量調節弁４２ａが閉止された状態になる。ここでは、第２利用側コントローラ１０８ａ、１０８ｂのうちの１つによって、温調モードとしての熱源側切換機構２３の切換状態を熱源側蒸発運転状態に切り換えた上で、第２利用側コントローラ１０８ａ及び／又は第２利用側コントローラ１０８ｂの運転指令によって、第２利用ユニット１０ａ及び／又は第２利用ユニット１０ｂの運転（暖房運転）が行われる。
【０１０６】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側切換機構２３、第２熱源側ガス冷媒管２３ｂ及びガス側閉鎖弁３０を通じて、熱源ユニット２からガス冷媒連絡管１４に送られる。
【０１０７】
ガス冷媒連絡管１４に送られた高圧の熱源側冷媒は、第２利用ユニット１０ａ、１０ｂ（ここでは、第２利用ユニット１０ａ、１０ｂの両方を暖房運転するものとして説明する）に送られる。第２利用ユニット１０ａ、１０ｂに送られた高圧の熱源側冷媒は、第２利用側ガス冷媒管１０４ａ、１０４ｂを通じて、第２利用側熱交換器１０１ａ、１０１ｂに送られる。第２利用側熱交換器１０１ａ、１０１ｂに送られた高圧の熱源側冷媒は、第２利用側熱交換器１０１ａ、１０１ｂにおいて、利用側ファン１０５ａ、１０５ｂによって供給される空気媒体と熱交換を行って放熱し、これにより、室内の暖房を行う。第２利用側熱交換器１０１ａ、１０１ｂにおいて放熱した高圧の熱源側冷媒は、第２利用側流量調節弁１０２ａ、１０２ｂ及び第２利用側液冷媒管１０３ａ、１０３ｂを通じて、第２利用ユニット１０ａ、１０ｂから液冷媒連絡管１３に送られる。
【０１０８】
液冷媒連絡管１３に送られた熱源側冷媒は、熱源ユニット２に送られる。熱源ユニット２に送られた熱源側冷媒は、液側閉鎖弁２９を通じて、過冷却器２７に送られる。過冷却器２７に送られた熱源側冷媒は、吸入戻し管２６に熱源側冷媒が流れていないため、熱交換を行うことなく、熱源側膨張弁２５に送られる。熱源側膨張弁２５に送られた熱源側冷媒は、熱源側膨張弁２５において減圧されて、低圧の気液二相状態になり、熱源側液冷媒管２４ａを通じて、熱源側熱交換器２４に送られる。熱源側熱交換器２４に送られた低圧の冷媒は、熱源側熱交換器２４において、熱源側ファン３２によって供給される室外空気と熱交換を行って蒸発する。熱源側熱交換器２４において蒸発した低圧の熱源側冷媒は、第１熱源側ガス冷媒管２３ａ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０１０９】
このようにして、第２利用ユニット１０ａ及び／又は第２利用ユニット１０ｂの暖房運転のみを行う暖房運転における動作が行われる。
【０１１０】
−給湯暖房運転−
第１利用ユニット４ａの給湯運転を行うとともに第２利用ユニット１０ａ及び／又は第２利用ユニット１０ｂの暖房運転を行う場合には、熱源側冷媒回路２０においては、熱源側切換機構２３が熱源側蒸発運転状態（図１の熱源側切換機構２３の破線で示された状態）に切り換えられ、吸入戻し膨張弁２６ａが閉止された状態になる。また、水媒体回路８０ａにおいては、水媒体切換機構１６１ａが貯湯ユニット８ａ及び／又は温水暖房ユニット９ａに水媒体を供給する状態に切り換えられる。ここでは、第２利用側コントローラ１０８ａ、１０８ｂのうちの１つによって、温調モードとしての熱源側切換機構２３の切換状態を熱源側蒸発運転状態に切り換えた上で、第１利用側コントローラ７７ａの運転指令によって、第１利用ユニット４ａ（及び、貯湯ユニット８ａ及び／又は温水暖房ユニット９ａ）の運転（給湯運転）と、第２利用側コントローラ１０８ａ及び／又は第２利用側コントローラ１０８ｂの運転指令によって、第２利用ユニット１０ａ及び／又は第２利用ユニット１０ｂの運転（暖房運転）が行われる。
【０１１１】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側切換機構２３、第２熱源側ガス冷媒管２３ｂ及びガス側閉鎖弁３０を通じて、熱源ユニット２からガス冷媒連絡管１４に送られる。
【０１１２】
ガス冷媒連絡管１４に送られた高圧の熱源側冷媒は、第１利用ユニット４ａ及び第２利用ユニット１０ａ、１０ｂ（ここでは、第２利用ユニット１０ａ、１０ｂの両方を暖房運転するものとして説明する）に送られる。
【０１１３】
第２利用ユニット１０ａ、１０ｂに送られた高圧の熱源側冷媒は、第２利用側ガス冷媒管１０４ａ、１０４ｂを通じて、第２利用側熱交換器１０１ａ、１０１ｂに送られる。第２利用側熱交換器１０１ａ、１０１ｂに送られた高圧の熱源側冷媒は、第２利用側熱交換器１０１ａ、１０１ｂにおいて、利用側ファン１０５ａ、１０５ｂによって供給される空気媒体と熱交換を行って放熱し、これにより、室内の暖房を行う。第２利用側熱交換器１０１ａ、１０１ｂにおいて放熱した高圧の熱源側冷媒は、第２利用側流量調節弁１０２ａ、１０２ｂ及び第２利用側液冷媒管１０３ａ、１０３ｂを通じて、第２利用ユニット１０ａ、１０ｂから液冷媒連絡管１３に送られる。
【０１１４】
第１利用ユニット４ａに送られた高圧の熱源側冷媒は、第１利用側ガス冷媒管５４ａを通じて、第１利用側熱交換器４１ａに送られる。第１利用側熱交換器４１ａに送られた高圧の熱源側冷媒は、第１利用側熱交換器４１ａにおいて、利用側冷媒回路４０ａを循環する冷凍サイクルにおける低圧の利用側冷媒と熱交換を行って放熱する。第１利用側熱交換器４１ａにおいて放熱した高圧の熱源側冷媒は、第１利用側流量調節弁４２ａ及び第１利用側液冷媒管４５ａを通じて、第１利用ユニット４ａから液冷媒連絡管１３に送られる。
【０１１５】
第２利用ユニット１０ａ、１０ｂ及び第１利用ユニット４ａから液冷媒連絡管１３に送られた熱源側冷媒は、液冷媒連絡管１３において合流して、熱源ユニット２に送られる。熱源ユニット２に送られた熱源側冷媒は、液側閉鎖弁２９を通じて、過冷却器２７に送られる。過冷却器２７に送られた熱源側冷媒は、吸入戻し管２６に熱源側冷媒が流れていないため、熱交換を行うことなく、熱源側膨張弁２５に送られる。熱源側膨張弁２５に送られた熱源側冷媒は、熱源側膨張弁２５において減圧されて、低圧の気液二相状態になり、熱源側液冷媒管２４ａを通じて、熱源側熱交換器２４に送られる。熱源側熱交換器２４に送られた低圧の冷媒は、熱源側熱交換器２４において、熱源側ファン３２によって供給される室外空気と熱交換を行って蒸発する。熱源側熱交換器２４において蒸発した低圧の熱源側冷媒は、第１熱源側ガス冷媒管２３ａ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０１１６】
一方、水媒体回路８０ａにおいては、第１利用側熱交換器４１ａにおける熱源側冷媒の放熱によって水媒体回路８０ａを循環する水媒体が加熱される。第１利用側熱交換器４１ａにおいて加熱された水媒体は、第１利用側水出口管４８ａを通じて、循環ポンプ４３ａに吸入され、昇圧された後に、第１利用ユニット４ａから水媒体連絡管１６ａに送られる。水媒体連絡管１６ａに送られた水媒体は、水媒体側切換機構１６１ａを通じて、貯湯ユニット８ａ及び／又は温水暖房ユニット９ａに送られる。貯湯ユニット８ａに送られた水媒体は、熱交換コイル８２ａにおいて貯湯タンク８１ａ内の水媒体と熱交換を行って放熱し、これにより、貯湯タンク８１ａ内の水媒体を加熱する。温水暖房ユニット９ａに送られた水媒体は、熱交換パネル９１ａにおいて放熱し、これにより、室内の壁際等を加熱したり室内の床を加熱する。
【０１１７】
このようにして、第１利用ユニット４ａの給湯運転を行うとともに第２利用ユニット１０ａ及び／又は第２利用ユニット１０ｂの暖房運転を行う給湯暖房運転における動作が行われる。
【０１１８】
このように、このヒートポンプシステム１では、温調モードを熱源側放熱運転状態に切り換えたままでは、給湯運転や暖房運転を行うことができず、また、温調モードを熱源側蒸発運転状態に切り換えたままでは、冷房運転を行うことができない。すなわち、第１利用ユニット４ａ及び第２利用ユニット１０ａ、１０ｂにおいて所望の運転を行うためには、第１利用側コントローラ７７ａから第１利用ユニット４ａへの給湯運転の指令や第２利用側コントローラ１０８ａ、１０８ｂから第２利用ユニット１０ａ、１０ｂへの冷房運転又は暖房運転の指令だけでなく、第１及び第２利用ユニット４ａ、１０ａ、１０ｂに共通の熱源ユニット２における運転状態を決定する熱源側切換機構２３の切換状態である温調モードの切り換えが必要であり、その意味において、このヒートポンプシステム１は、第１利用ユニット４ａ及び第２利用ユニット１０ａ、１０ｂが個別に給湯運転、冷房運転又は暖房運転を選択して運転できないものとなっている。
【０１１９】
−温調モード切り換え制御−
しかし、ユーザーは、このヒートポンプシステム１を、単に、第２利用ユニット１０ａ、１０ｂによる冷暖房装置と第１利用ユニット４ａ等による給湯装置とが併存したしたものと受け取ってしまうため、温調モードの切り換えの必要性を認識できず、温調モードの切り換えを忘れたり、切り換えミスを生じるおそれがあり、また、温調モードの切り換えも煩雑である。
【０１２０】
そこで、このヒートポンプシステム１では、第２利用ユニット１０ａ、１０ｂに指令を行う第２利用側コントローラ１０８ａ、１０８ｂのうちの１つ（ここでは、第２利用側コントローラ１０８ａとする）が指令している温調モードとしての熱源側切換機構２３の切換状態とは異なる温調モードに切り換えて運転することが可能な温調モード切り換え制御を行うようにしている。
【０１２１】
以下に、このヒートポンプシステム１における温調モード切り換え制御の制御ロジックについて、図２を用いて説明する。この温調モード切り換え制御では、温調モードが熱源側放熱運転状態になっている（すなわち、第２利用ユニット１０ａ、１０ｂが冷房運転しているか、冷房運転を行っていなくても、第２利用側コントローラ１０８ａが温調モードを熱源側放熱運転状態になるように指令している）際において、第１利用側コントローラ７７ａから第１利用ユニット４ａに給湯運転が指令された場合（したがって、温調モードを熱源側蒸発運転状態しなければならない場合）には、温調モードを熱源側蒸発運転状態に切り換えて、第１利用ユニット４ａの給湯運転を行う運転である優先給湯運転（ステップＳ７〜Ｓ９）が行われるようになっており、それ以外の場合には、指令されている温調モード（ここでは、第２利用側コントローラ１０８ａによって指令されている温調モード）における運転（ステップＳ１、Ｓ４）が行われるようになっている。
【０１２２】
まず、ステップＳ１の運転状態、すなわち、第２利用側コントローラ１０８ａによって指令されている温調モードにおける運転（図２では、この運転を「優先給湯運転＝ＯＦＦ」とする）が継続しているものとする。
【０１２３】
次に、ステップＳ２において、条件Ａを満たすかどうかを判定する。ここで、条件Ａは、第２利用側コントローラ１０８ａによって指令されている温調モードが熱源側放熱運転状態（図２では、この状態を「温調モード＝冷房」とする）であり、かつ、所定の第３時間ｔｍ３が経過し（図２では、この状態を「ｔｍ３タイムアップ」とする）、かつ、第１利用側コントローラ７７ａによって第１利用ユニット４ａに給湯運転が指令されたかどうか（図２では、この指令がなされた状態を「給湯運転要求＝ＯＮ」とする）であり、これにより、温調モードが熱源側放熱運転状態になっている際に第１利用ユニット４ａに給湯運転が指令されたかどうかを判定する。ここで、時間ｔｍ３は、後述のステップＳ１０において設定される時間である。そして、このステップＳ２において、条件Ａを満たさないと判定された場合、すなわち、温調モードが熱源側蒸発運転状態である場合（図２では、この状態を「温調モード≠冷房」とする）、又は、第３時間ｔｍ３が経過していない場合、又は、第１利用側コントローラ７７ａによって第１利用ユニット４ａに給湯運転が指令されていない場合（すなわち、「給湯運転要求＝ＯＦＦ」）には、第２利用側コントローラ１０８ａによって指令されている温調モードにおける運転（すなわち、「優先給湯運転＝ＯＦＦ」）を継続し、条件Ａを満たすと判定された場合には、温調モードが熱源側放熱運転状態にあるにもかかわらず、給湯運転が指令された状態、すなわち、第１利用側コントローラ７７ａからの給湯運転の指令にしたがって第１利用ユニット４ａの運転を開始しても水媒体を加熱することはできない状態となっているため、優先給湯運転（ステップＳ７〜Ｓ９）に向けて、ステップＳ３以降の処理に移行する。
【０１２４】
次に、ステップＳ３、Ｓ４では、条件Ａを満たす場合ではあるが、すぐに、優先給湯運転（ステップＳ７〜Ｓ９）に移行するのではなく、ステップＳ３において、所定の第１時間ｔｍ１のカウントを開始し、ステップＳ１と同じく、第２利用側コントローラ１０８ａによって指令されている温調モードにおける運転（すなわち、「優先給湯運転＝ＯＦＦ」）を継続する。ここで、第１時間ｔｍ１は、ステップＳ２の処理が終了してからステップＳ５、Ｓ６の処理が行われるまでの時間間隔に相当するものであり、数分から１０分程度に設定される。
【０１２５】
次に、ステップＳ５において、条件Ｂを満たすかどうかを判定する。ここで、条件Ｂは、第２利用側コントローラ１０８ａによって指令されている温調モードが熱源側放熱運転状態（すなわち、「温調モード＝冷房」）であり、かつ、第１利用側コントローラ７７ａによって第１利用ユニット４ａに給湯運転が指令されたかどうか（すなわち、「給湯運転要求＝ＯＮ」）であり、かつ、第１時間ｔｍ１が経過したかどうか（図２では、この状態を「ｔｍ１タイムアップ」とする）、又は、外気温度Ｔｏが所定の低温条件温度Ｔｏｌより低いかどうか（図２では、この状態を「Ｔｏ＜Ｔｏｌ」とする）であり、これにより、ステップＳ２において、条件Ａを満たす状態が第１時間ｔｍ１継続しており給湯運転の要求が確実なものであるか、又は、外気温度Ｔｏが低温条件であるにもかかわらず、第２利用側コントローラ１０８ａによって指令されている温調モードが熱源側放熱運転状態（すなわち、「温調モード＝冷房」）になっているかを判定する。ここで、低温条件温度Ｔｏｌは、第２利用ユニット１０ａ、１０ｂの暖房運転を行うことが想定される最も高い温度に相当するものであり、１５℃程度に設定される。そして、このステップＳ５において、条件Ｂを満たさないと判定された場合、すなわち、温調モードが熱源側蒸発運転状態である場合（すなわち、「温調モード≠冷房」）、又は、第１利用側コントローラ７７ａによって第１利用ユニット４ａに給湯運転が指令されていない場合（すなわち、「給湯運転要求＝ＯＦＦ」）には、ステップＳ６の条件Ｄを満たすものと判定して、ステップＳ１の第２利用側コントローラ１０８ａによって指令されている温調モードにおける運転（すなわち、「優先給湯運転＝ＯＦＦ」）を継続し、条件Ｂを満たすと判定された場合には、給湯運転の要求が確実なものとなっている状態、又は、外気温度Ｔｏが低温条件であるにもかかわらず第２利用側コントローラ１０８ａによって指令されている温調モードが熱源側放熱運転状態（すなわち、「温調モード＝冷房」）になっている状態であるため、優先給湯運転（ステップＳ７〜Ｓ９）に移行する。
【０１２６】
次に、ステップＳ７〜Ｓ９では、まず、ステップＳ７において、所定の第２時間ｔｍ２のカウントを開始する。ここで、第２時間ｔｍ２は、優先給湯運転を行う時間に相当するものであり、１０分から３０分程度に設定される。そして、ステップＳ８において、第２利用側コントローラ１０８ａが温調モードを熱源側放熱運転状態（すなわち、「温調モード＝冷房」）に指令しているにもかかわらず、温調モードを熱源側蒸発運転状態に切り換えるとともに、循環ポンプ４３ａの起動や第１利用側流量調節弁４１ａの開操作等を行って第１利用ユニット４ａの給湯運転（すなわち、優先給湯運転）を開始する。
【０１２７】
ところで、このような優先給湯運転を行うために、温調モードを熱源側放熱運転状態から熱源側蒸発運転状態に切り換えると、第２利用ユニット１０ａ、１０ｂが暖房運転を行う状態に切り換えられることになり、優先給湯運転が開始されるまで第２利用ユニット１０ａ、１０ｂが冷房運転を行っていた場合には、第２利用ユニット１０ａ、１０ｂが暖房運転を行う状態になり、また、優先給湯運転中に第２利用側コントローラ１０８ａ、１０８ｂから第２利用ユニット１０ａ、１０ｂに冷房運転が指令された場合に暖房運転を開始してしまうため、室内の快適性が損なわれて好ましくない。そこで、このヒートポンプシステム１では、優先給湯運転中は、第２利用ユニット１０ａ、１０ｂの冷房運転を禁止するようにしている。
【０１２８】
また、上述のように、優先給湯運転において、第２利用ユニット１０ａ、１０ｂの冷房運転を禁止する際に、第２利用側コントローラ１０８ａ、１０８ｂから冷房運転が指令されている第２利用ユニット１０ａ、１０ｂについて、利用側ファン１０５ａ、１０５ｂの運転も停止してしまうと、ユーザーが第２利用ユニット１０ａ、１０ｂの故障が発生したものと誤解するおそれがある。そこで、このヒートポンプシステム１では、第２利用側コントローラ１０８ａ、１０８ｂから冷房運転が指令されている第２利用ユニット１０ａ、１０ｂについては、優先給湯運転中は、第２利用側流量調節弁１０２ａ、１０２ｂの閉操作等を行って冷房運転を停止した状態で利用側ファン１０５ａ、１０５ｂを運転するようにしている。ここで、利用側ファン１０５ａ、１０５ｂの運転周波数は、室内のドラフト防止のために、最低周波数にすることが好ましい。
【０１２９】
さらに、上述のように、優先給湯運転において、第２利用ユニット１０ａ、１０ｂの冷房運転を停止することに連動して、第２利用側コントローラ１０８ａ、１０８ｂにおける第２利用ユニット１０ａ、１０ｂの運転状態の表示を変更（すなわち、冷房運転を停止に変更）してしまうと、ユーザーが第２利用ユニット１０ａ、１０ｂの故障が発生したものと誤解するおそれがある。そこで、このヒートポンプシステム１では、優先給湯運転における第２利用ユニット１０ａ、１０ｂの冷房運転の停止中においても、第２利用側コントローラ１０８ａ、１０８ｂが冷房運転中である旨の表示を維持するようにしている。
【０１３０】
そして、この優先給湯運転は、ステップＳ９において、条件Ｃを満たすまで継続される。ここで、条件Ｃは、第２利用側コントローラ１０８ａによって温調モードが熱源側蒸発運転状態に切り換えるように指令されるか（すなわち、「温調モード≠冷房」）、又は、第１利用側コントローラ７７ａによって第１利用ユニット４ａに給湯運転を停止する指令がされるか（すなわち、「給湯運転要求＝ＯＦＦ」）又は、外気温度Ｔｏが所定の高温条件温度Ｔｏｈより高い状態（図２では、この状態を「Ｔｏ＞Ｔｏｈ」とする）で第２時間ｔｍ２が経過するか（図２では、この状態を「ｔｍ２タイムアップ」とする）であり、これにより、ステップＳ９において、優先給湯運転を行わなくても給湯運転が可能な状態になったか、又は、給湯運転が不要になったか、又は、優先給湯運転が第２時間ｔｍ２継続したかを判定する。ここで、高温条件温度Ｔｏｈは、第２利用ユニット１０ａ、１０ｂの冷房運転を行うことが想定される最も低い温度に相当するものであり、２０℃程度に設定される。そして、優先給湯運転は、このステップＳ９において、条件Ｃを満たすと判定されるまで、すなわち、優先給湯運転を行わなくても給湯運転が可能な状態になり、又は、給湯運転が不要になり、又は、優先給湯運転が第２時間ｔｍ２継続するまで継続され、その後、第２利用側コントローラ１０８ａが指令している温調モードにおける運転に戻す処理（ステップＳ１０、Ｓ１）に移行する。
【０１３１】
次に、ステップＳ１０、Ｓ１では、まず、ステップＳ１０において、所定の第３時間ｔｍ３のカウントを開始し、そして、ステップＳ１において、第２利用側コントローラ１０８ａが指令している温調モードにおける運転に戻す処理が行われる。ここで、第３時間ｔｍ３は、優先給湯運転が要求されている場合において、優先給湯運転を行なわずに第２利用側コントローラ１０８ａが指令している温調モードにおける運転を行う時間に相当するものであり、５分から２５分程度に設定される。例えば、第２利用ユニット１０ａ、１０ｂの冷房運転中に第１利用ユニット４ａの給湯運転が要求された場合には、優先給湯運転が第２時間ｔｍ２だけ行われ、冷房運転が第３時間ｔｍ３だけ行われることになる。
【０１３２】
以上のような温調モード切り換え制御によって、このヒートポンプシステム１では、第２利用ユニット１０ａ、１０ｂの運転が停止している場合、又は、冷房運転が行われている場合（すなわち、第２利用側コントローラ１０８ａが指令している温調モードが熱源側放熱運転状態である場合）において、第１利用ユニット１０ａに給湯運転が要求された場合（すなわち、第１利用側コントローラ７７ａから第１利用ユニット４ａに給湯運転が指令された場合）には、第２利用側コントローラ１０８ａが温調モードを熱源側放熱運転状態に指令しているにもかかわらず、温調モードを熱源側蒸発運転状態に切り換えて優先給湯運転を行うことができる、すなわち、第２利用側コントローラ１０８ａが指令している温調モードとしての熱源側切換機構２３の切換状態とは異なる温調モードに切り換えて運転することが可能になっている。
【０１３３】
＜特徴＞
このヒートポンプシステム１には、以下のような特徴がある。
【０１３４】
−Ａ−
このヒートポンプシステム１では、上述の温調モード切り換え制御のように、第２利用ユニット１０ａ、１０ｂに指令を行う第２利用側コントローラ１０８ａ、１０８ｂ（ここでは、第２利用側コントローラ１０８ａとしている）が指令している温調モードとしての熱源側切換機構２３の切換状態とは異なる温調モードに切り換えて運転することを可能になっており、例えば、温調モードが熱源側放熱運転状態に切り換えられた状態において給湯運転を行う場合には、温調モードが熱源側蒸発運転状態に切り換えられる等のように、ユーザーが温調モードを切り換える操作（指令）を行うことなく、所望の運転に適した温調モードに切り換えを行うことができる。
【０１３５】
−Ｂ−
このヒートポンプシステム１では、上述の温調モード切り換え制御におけるステップＳ２、ステップＳ５、Ｓ６、Ｓ９のように、温調モードの切り換えは、指令された温調モード（ここでは、第２利用側コントローラ１０８ａが指令している温調モードとしての熱源側切換機構２３の切換状態）及び外気温度Ｔｏの少なくとも１つに基づいて行うようにしているため、温調モードの切り換えを適切に行うことができる。
【０１３６】
また、このヒートポンプシステム１では、上述の温調モード切り換え制御におけるステップＳ１〜Ｓ６のように、２段階で温調モードの切り換えが必要かどうか（ここでは、優先給湯運転を行う必要があるかどうか）を判定するようにしているため、温調モードのハンチングが生じにくくなっている。
【０１３７】
−Ｃ−
このヒートポンプシステム１では、温調モードが熱源側放熱運転状態になっている際において、第１利用側コントローラ７７ａから第１利用ユニット４ａに給湯運転が指令された場合には、温調モードを熱源側放熱運転状態から熱源側蒸発運転状態に切り換えることで、第１利用ユニット４ａの給湯運転（すなわち、優先給湯運転）を行うことができるため、夏期等の冷房運転が必要な運転条件においても、ユーザーが温調モードを熱源側蒸発運転状態に切り換えする操作（指令）を行うことなく、必要に応じて給湯運転を行うことができる。
【０１３８】
−Ｄ−
このヒートポンプシステム１では、優先給湯運転を行う際には、第２利用ユニット１０ａ、１０ｂの冷房運転を禁止するようにしているため、優先給湯運転を行うための温調モードを放熱運転状態から蒸発運転状態に切り換えによって、冷房運転を行っていた第２利用ユニット１０ａ、１０ｂが暖房運転を行う状態になったり、また、優先給湯運転中に第２利用側コントローラ１０８ａ、１０８ｂから第２利用ユニット１０ａ、１０ｂに冷房運転が指令された場合に暖房運転を開始してしまうことがなくなり、これにより、優先給湯運転を行う際に、室内の快適性が損なわれることを防ぐことができる。
【０１３９】
また、このヒートポンプシステム１では、第２利用側コントローラ１０８ａ、１０８ｂから冷房運転が指令されている第２利用ユニット１０ａ、１０ｂについては、優先給湯運転中は、冷房運転を停止した状態で利用側ファン１０５ａ、１０５ｂを運転するようにしているため、第２利用ユニット１０ａ、１０ｂの冷房運転を禁止する際に、冷房運転中の第２利用ユニット１０ａ、１０ｂの利用側ファン１０５ａ、１０５ｂの運転を停止してしまうことがなくなり、これにより、優先給湯運転を行うことでユーザーが第２利用ユニット１０ａ、１０ｂの故障が発生したものと誤解しないようにすることができる。
【０１４０】
さらに、このヒートポンプシステム１では、優先給湯運転における第２利用ユニット１０ａ、１０ｂの冷房運転の停止中においても、第２利用側コントローラ１０８ａ、１０８ｂが冷房運転中である旨の表示を維持するようにしているため、優先給湯運転において、第２利用ユニット１０ａ、１０ｂの冷房運転を停止することに連動して、第２利用側コントローラ１０８ａ、１０８ｂにおける第２利用ユニットの運転状態の表示を変更されてしまうことがなくなり、これにより、優先給湯運転を行うことでユーザーが第２利用ユニット１０ａ、１０ｂの故障が発生したものと誤解しないようにすることができる。
【０１４１】
（第２実施形態）
上述の第１実施形態におけるヒートポンプシステム１では、例えば、６５℃以上の温水のような高温の水媒体を得るためには、熱源側圧縮機２１の吐出における熱源側冷媒の圧力を高くする等の運転効率の悪い条件で運転を行う必要があり、好ましいものとはいえない。
【０１４２】
そこで、このヒートポンプシステム２００では、上述の第１実施形態におけるヒートポンプシステム１（図１参照）の構成において、図３に示されるように、第１利用側熱交換器４１ａをガス冷媒連絡管１４から導入される熱源側冷媒と熱源側冷媒とは別の利用側冷媒との熱交換を行う熱交換器とし、第１利用ユニット４ａに、利用側冷媒を圧縮する利用側圧縮機６２ａ（後述）や利用側冷媒の放熱器として機能して水媒体を加熱することが可能な冷媒−水熱交換器６５ａ（後述）等をさらに設けることで、第１利用側熱交換器４１ａとともに利用側冷媒が循環する利用側冷媒回路４０ａを構成するようにしている。以下、このヒートポンプシステム２００の構成について説明する。
【０１４３】
＜構成＞
−全体−
図３は、本発明の第２実施形態にかかるヒートポンプシステム２００の概略構成図である。ヒートポンプシステム２００は、蒸気圧縮式のヒートポンプサイクルを利用して水媒体を加熱する運転等を行うことが可能な装置である。
【０１４４】
ヒートポンプシステム２００は、主として、熱源ユニット２と、第１利用ユニット４ａと、第２利用ユニット１０ａ、１０ｂと、液冷媒連絡管１３と、ガス冷媒連絡管１４と、貯湯ユニット８ａと、温水暖房ユニット９ａと、水媒体連絡管１５ａと、水媒体連絡管１６ａとを備えており、熱源ユニット２と第１利用ユニット４ａと第２利用ユニット１０ａ、１０ｂとが冷媒連絡管１３、１４を介して接続されることによって、熱源側冷媒回路２０を構成し、第１利用ユニット４ａが利用側冷媒回路４０ａを構成し、第１利用ユニット４ａと貯湯ユニット８ａと温水暖房ユニット９ａとが水媒体連絡管１５ａ、１６ａを介して接続されることによって、水媒体回路８０ａを構成している。熱源側冷媒回路２０には、ＨＦＣ系冷媒の一種であるＨＦＣ−４１０Ａが熱源側冷媒として封入されており、また、ＨＦＣ系冷媒に対して相溶性を有するエステル系又はエーテル系の冷凍機油が熱源側圧縮機２２の潤滑のために封入されている。また、利用側冷媒回路４０ａには、ＨＦＣ系冷媒の一種であるＨＦＣ−１３４ａが利用側冷媒として封入されており、また、ＨＦＣ系冷媒に対して相溶性を有するエステル系又はエーテル系の冷凍機油が利用側圧縮機６２ａの潤滑のために封入されている。尚、利用側冷媒としては、高温の冷凍サイクルに有利な冷媒を使用されるという観点から、飽和ガス温度６５℃に相当する圧力がゲージ圧で高くとも２．８ＭＰａ以下、好ましくは、２．０ＭＰａ以下の冷媒を使用することが好ましい。そして、ＨＦＣ−１３４ａは、このような飽和圧力特性を有する冷媒の一種である。また、水媒体回路８０ａには、水媒体としての水が循環するようになっている。
【０１４５】
尚、以下の構成に関する説明では、第１実施形態におけるヒートポンプシステム１（図１参照）と同様の構成を有する熱源ユニット２、第２利用ユニット１０ａ、貯湯ユニット８ａ、温水暖房ユニット９ａ、液冷媒連絡管１３、ガス冷媒連絡管１４、水媒体連絡管１５ａ、１６ａ、第１利用側コントローラ７７ａ、及び、第２利用側コントローラ１０８ａ、１０８ｂの構成については、同じ符号を付して説明を省略し、第１利用ユニット４ａの構成のみについて説明を行う。
【０１４６】
−第１利用ユニット−
第１利用ユニット４ａは、屋内に設置されており、冷媒連絡管１３、１４を介して熱源ユニット２に接続されており、熱源側冷媒回路２０の一部を構成している。また、第１利用ユニット４ａは、利用側冷媒回路４０ａを構成している。さらに、第１利用ユニット４ａは、水媒体連絡管１５ａ、１６ａを介して貯湯ユニット８ａ及び温水暖房ユニット９ａに接続されており、水媒体回路８０ａの一部を構成している。
【０１４７】
第１利用ユニット４ａは、主として、第１利用側熱交換器４１ａと、第１利用側流量調節弁４２ａと、利用側圧縮機６２ａと、冷媒−水熱交換器６５ａと、冷媒−水熱交側流量調節弁６６ａと、利用側アキュムレータ６７ａと、循環ポンプ４３ａとを有している。
【０１４８】
第１利用側熱交換器４１ａは、熱源側冷媒と利用側冷媒との熱交換を行うことで熱源側冷媒の放熱器として機能する熱交換器であり、その熱源側冷媒が流れる流路の液側には、第１利用側液冷媒管４５ａが接続されており、その熱源側冷媒が流れる流路のガス側には、第１利用側ガス冷媒管５４ａが接続されており、その利用側冷媒が流れる流路の液側には、カスケード側液冷媒管６８ａが接続されており、その利用側冷媒が流れる流路のガス側には、第２カスケード側ガス冷媒管６９ａが接続されている。第１利用側液冷媒管４５ａには、液冷媒連絡管１３が接続されており、第１利用側ガス冷媒管５４ａには、ガス冷媒連絡管１４が接続されており、カスケード側液冷媒管６８ａには、冷媒−水熱交換器６５ａが接続されており、第２カスケード側ガス冷媒管６９ａには、利用側圧縮機６２ａが接続されている。
【０１４９】
第１利用側流量調節弁４２ａは、開度制御を行うことで第１利用側熱交換器４１ａを流れる熱源側冷媒の流量を可変することが可能な電動膨張弁であり、第１利用側液冷媒管４５ａに設けられている。
【０１５０】
利用側圧縮機６２ａは、利用側冷媒を圧縮する機構であり、ここでは、ケーシング（図示せず）内に収容されたロータリ式やスクロール式等の容積式の圧縮要素（図示せず）が、同じくケーシング内に収容された利用側圧縮機モータ６３ａによって駆動される密閉式圧縮機が採用されている。この利用側圧縮機６２ａのケーシング内には、圧縮要素において圧縮された後の熱源側冷媒が充満する高圧空間（図示せず）が形成されており、この高圧空間には、冷凍機油が溜められている。利用側圧縮機モータ６３ａは、インバータ装置（図示せず）によって、その回転数（すなわち、運転周波数）を可変でき、これにより、利用側圧縮機６２ａの容量制御が可能になっている。また、利用側圧縮機６２ａの吐出には、カスケード側吐出管７０ａが接続されており、利用側圧縮機６２ａの吸入には、カスケード側吸入管７１ａが接続されている。このカスケード側吸入管７１ａは、第２カスケード側ガス冷媒管６９ａに接続されている。
【０１５１】
冷媒−水熱交換器６５ａは、利用側冷媒と水媒体との熱交換を行うことで利用側冷媒の放熱器として機能する熱交換器であり、その利用側冷媒が流れる流路の液側には、カスケード側液冷媒管６８ａが接続されており、その利用側冷媒が流れる流路のガス側には、第１カスケード側ガス冷媒管７２ａが接続されており、その水媒体が流れる流路の入口側には、第１利用側水入口管４７ａが接続されており、その水媒体が流れる流路の出口側には、第１利用側水出口管４８ａが接続されている。第１カスケード側ガス冷媒管７２ａは、カスケード側吐出管７０ａに接続されており、第１利用側水入口管４７ａには、水媒体連絡管１５ａが接続されており、第１利用側水出口管４８ａには、水媒体連絡管１６ａが接続されている。
【０１５２】
冷媒−水熱交側流量調節弁６６ａは、開度制御を行うことで冷媒−水熱交換器６５ａを流れる利用側冷媒の流量を可変することが可能な電動膨張弁であり、カスケード側液冷媒管６８ａに設けられている。
【０１５３】
利用側アキュムレータ６７ａは、カスケード側吸入管７１ａに設けられており、利用側冷媒回路４０ａを循環する利用側冷媒をカスケード側吸入管７１ａから利用側圧縮機６２ａに吸入される前に一時的に溜めるための容器である。
【０１５４】
このように、利用側圧縮機６２ａ、冷媒−水熱交換器６５ａ、冷媒−水熱交側流量調節弁６６ａ及び第１利用側熱交換器４１ａが冷媒管７１ａ、７０ａ、７２ａ、６８ａ、６９ａを介して接続されることによって、利用側冷媒回路４０ａが構成されている。
【０１５５】
循環ポンプ４３ａは、水媒体の昇圧を行う機構であり、ここでは、遠心式や容積式のポンプ要素（図示せず）が循環ポンプモータ４４ａによって駆動されるポンプが採用されている。循環ポンプ４３ａは、第１利用側水出口管４８ａに設けられている。循環ポンプモータ４４ａは、インバータ装置（図示せず）によって、その回転数（すなわち、運転周波数）を可変でき、これにより、循環ポンプ４３ａの容量制御が可能になっている。
【０１５６】
これにより、第１利用ユニット４ａは、第１利用側熱交換器４１ａをガス冷媒連絡管１４から導入される熱源側冷媒の放熱器として機能させることで、第１利用側熱交換器４１ａにおいて放熱した熱源側冷媒を液冷媒連絡管１３に導出し、第１利用側熱交換器４１ａにおける熱源側冷媒の放熱によって利用側冷媒回路４０ａを循環する利用側冷媒を加熱し、この加熱された利用側冷媒が利用側圧縮機６２ａにおいて圧縮された後に、冷媒−水熱交換器６５ａにおいて放熱することによって水媒体を加熱する給湯運転を行うことが可能になっている。
【０１５７】
また、第１利用ユニット４ａには、各種のセンサが設けられている。具体的には、第１利用ユニット４ａには、第１利用側熱交換器４１ａの液側における熱源側冷媒の温度である第１利用側冷媒温度Ｔｓｃ１を検出する第１利用側熱交温度センサ５０ａと、冷媒−水熱交換器６５ａの液側における利用側冷媒の温度であるカスケード側冷媒温度Ｔｓｃ２を検出する第１冷媒−水熱交温度センサ７３ａと、冷媒−水熱交換器６５ａの入口における水媒体の温度である水媒体入口温度Ｔｗｒを検出する水媒体出口温度センサ５１ａと、冷媒−水熱交換器６５ａの出口における水媒体の温度である水媒体出口温度Ｔｗｌを検出する水媒体出口温度センサ５２ａと、利用側圧縮機６２ａの吸入における利用側冷媒の圧力である利用側吸入圧力Ｐｓ２を検出する利用側吸入圧力センサ７４ａと、利用側圧縮機６２ａの吐出における利用側冷媒の圧力である利用側吐出圧力Ｐｄ２を検出する利用側吐出圧力センサ７５ａと、利用側圧縮機６２ａの吐出における利用側冷媒の温度である利用側吐出温度Ｔｄ２を検出する利用側吐出温度センサ７６ａとが設けられている。
【０１５８】
＜動作＞
次に、ヒートポンプシステム２００の動作について説明する。
【０１５９】
ヒートポンプシステム２００の運転としては、第１実施形態のヒートポンプシステム１と同様に、第１利用ユニット４ａの給湯運転（すなわち、貯湯ユニット８ａ及び／又は温水暖房ユニット９ａの運転）のみを行う給湯運転と、第２利用ユニット１０ａ及び／又は第２利用ユニット１０ｂの冷房運転のみを行う冷房運転と、第２利用ユニット１０ａ及び／又は第２利用ユニット１０ｂの暖房運転のみを行う暖房運転と、第１利用ユニット４ａの給湯運転を行うとともに第２利用ユニット１０ａ及び／又は第２利用ユニット１０ｂの暖房運転を行う給湯暖房運転とがある。
【０１６０】
以下、ヒートポンプシステム２００の４つの運転における動作について説明する。
【０１６１】
−給湯運転−
第１利用ユニット４ａの給湯運転のみを行う場合には、熱源側冷媒回路２０においては、熱源側切換機構２３が熱源側蒸発運転状態（図３の熱源側切換機構２３の破線で示された状態）に切り換えられ、吸入戻し膨張弁２６ａ及び第２利用側流量調節弁１０２ａ、１０２ｂが閉止された状態になる。また、水媒体回路８０ａにおいては、水媒体切換機構１６１ａが貯湯ユニット８ａ及び／又は温水暖房ユニット９ａに水媒体を供給する状態に切り換えられる。ここでは、第２利用側コントローラ１０８ａ、１０８ｂのうちの１つによって、温調モードとしての熱源側切換機構２３の切換状態を熱源側蒸発運転状態に切り換えた上で、第１利用側コントローラ７７ａの運転指令によって、第１利用ユニット４ａ（及び、貯湯ユニット８ａ及び／又は温水暖房ユニット９ａ）の運転（給湯運転）が行われる。
【０１６２】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側切換機構２３、第２熱源側ガス冷媒管２３ｂ及びガス側閉鎖弁３０を通じて、熱源ユニット２からガス冷媒連絡管１４に送られる。
【０１６３】
ガス冷媒連絡管１４に送られた高圧の熱源側冷媒は、第１利用ユニット４ａに送られる。第１利用ユニット４ａに送られた高圧の熱源側冷媒は、第１利用側ガス冷媒管５４ａを通じて、第１利用側熱交換器４１ａに送られる。第１利用側熱交換器４１ａに送られた高圧の熱源側冷媒は、第１利用側熱交換器４１ａにおいて、利用側冷媒回路４０ａを循環する冷凍サイクルにおける低圧の利用側冷媒と熱交換を行って放熱する。第１利用側熱交換器４１ａにおいて放熱した高圧の熱源側冷媒は、第１利用側流量調節弁４２ａ及び第１利用側液冷媒管４５ａを通じて、第１利用ユニット４ａから液冷媒連絡管１３に送られる。
【０１６４】
液冷媒連絡管１３に送られた熱源側冷媒は、熱源ユニット２に送られる。熱源ユニット２に送られた熱源側冷媒は、液側閉鎖弁２９を通じて、過冷却器２７に送られる。過冷却器２７に送られた熱源側冷媒は、吸入戻し管２６に熱源側冷媒が流れていないため、熱交換を行うことなく、熱源側膨張弁２５に送られる。熱源側膨張弁２５に送られた熱源側冷媒は、熱源側膨張弁２５において減圧されて、低圧の気液二相状態になり、熱源側液冷媒管２４ａを通じて、熱源側熱交換器２４に送られる。熱源側熱交換器２４に送られた低圧の冷媒は、熱源側熱交換器２４において、熱源側ファン３２によって供給される室外空気と熱交換を行って蒸発する。熱源側熱交換器２４において蒸発した低圧の熱源側冷媒は、第１熱源側ガス冷媒管２３ａ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０１６５】
一方、利用側冷媒回路４０ａにおいては、第１利用側熱交換器４１ａにおける熱源側冷媒の放熱によって利用側冷媒回路４０ａを循環する冷凍サイクルにおける低圧の利用側冷媒が加熱されて蒸発する。第１利用側熱交換器４１ａにおいて蒸発した低圧の利用側冷媒は、第２カスケード側ガス冷媒管６９ａを通じて、利用側アキュムレータ６７ａに送られる。利用側アキュムレータ６７ａに送られた低圧の利用側冷媒は、カスケード側吸入管７１ａを通じて、利用側圧縮機６２ａに吸入され、冷凍サイクルにおける高圧まで圧縮された後に、カスケード側吐出管７０ａに吐出される。カスケード側吐出管７０ａに吐出された高圧の利用側冷媒は、第１カスケード側ガス冷媒管７２ａを通じて、冷媒−水熱交換器６５ａに送られる。冷媒−水熱交換器６５ａに送られた高圧の利用側冷媒は、冷媒−水熱交換器６５ａにおいて、循環ポンプ４３ａによって水媒体回路８０ａを循環する水媒体と熱交換を行って放熱する。冷媒−水熱交換器６５ａにおいて放熱した高圧の利用側冷媒は、冷媒−水熱交側流量調節弁６６ａにおいて減圧されて、低圧の気液二相状態になり、カスケード側液冷媒管６８ａを通じて、再び、第１利用側熱交換器４１ａに送られる。
【０１６６】
また、水媒体回路８０ａにおいては、冷媒−水熱交換器６５ａにおける利用側冷媒の放熱によって水媒体回路８０ａを循環する水媒体が加熱される。冷媒−水熱交換器６５ａにおいて加熱された水媒体は、第１利用側水出口管４８ａを通じて、循環ポンプ４３ａに吸入され、昇圧された後に、第１利用ユニット４ａから水媒体連絡管１６ａに送られる。貯湯ユニット８ａに送られた水媒体は、熱交換コイル８２ａにおいて貯湯タンク８１ａ内の水媒体と熱交換を行って放熱し、これにより、貯湯タンク８１ａ内の水媒体を加熱する。温水暖房ユニット９ａに送られた水媒体は、熱交換パネル９１ａにおいて放熱し、これにより、室内の壁際等を加熱したり室内の床を加熱する。
【０１６７】
このようにして、第１利用ユニット４ａの給湯運転のみを行う給湯運転における動作が行われる。
【０１６８】
−冷房運転−
第２利用ユニット１０ａ及び／又は第２利用ユニット１０ｂの冷房運転のみを行う場合には、熱源側冷媒回路２０においては、熱源側切換機構２３が熱源側放熱運転状態（図３の熱源側切換機構２３の実線で示された状態）に切り換えられ、第１利用側流量調節弁４２ａが閉止された状態になる。ここでは、第２利用側コントローラ１０８ａ、１０８ｂのうちの１つによって、温調モードとしての熱源側切換機構２３の切換状態を熱源側放熱運転状態に切り換えた上で、第２利用側コントローラ１０８ａ及び／又は第２利用側コントローラ１０８ｂの運転指令によって、第２利用ユニット１０ａ及び／又は第２利用ユニット１０ｂの運転（冷房運転）が行われる。尚、冷房運転については、第１実施形態のヒートポンプシステム１における冷房運転と同様であるため、ここでは説明を省略する。
【０１６９】
−暖房運転−
第２利用ユニット１０ａ及び／又は第２利用ユニット１０ｂの暖房運転のみを行う場合には、熱源側冷媒回路２０においては、熱源側切換機構２３が熱源側放熱運転状態（図３の熱源側切換機構２３の破線で示された状態）に切り換えられ、吸入戻し膨張弁２６ａ及び第１利用側流量調節弁４２ａが閉止された状態になる。ここでは、第２利用側コントローラ１０８ａ、１０８ｂのうちの１つによって、温調モードとしての熱源側切換機構２３の切換状態を熱源側蒸発運転状態に切り換えた上で、第２利用側コントローラ１０８ａ及び／又は第２利用側コントローラ１０８ｂの運転指令によって、第２利用ユニット１０ａ及び／又は第２利用ユニット１０ｂの運転（暖房運転）が行われる。尚、暖房運転については、第１実施形態のヒートポンプシステム１における暖房運転と同様であるため、ここでは説明を省略する。
【０１７０】
−給湯暖房運転−
第１利用ユニット４ａの給湯運転を行うとともに第２利用ユニット１０ａ及び／又は第２利用ユニット１０ｂの暖房運転を行う場合には、熱源側冷媒回路２０においては、熱源側切換機構２３が熱源側蒸発運転状態（図３の熱源側切換機構２３の破線で示された状態）に切り換えられ、吸入戻し膨張弁２６ａが閉止された状態になる。また、水媒体回路８０ａにおいては、水媒体切換機構１６１ａが貯湯ユニット８ａ及び／又は温水暖房ユニット９ａに水媒体を供給する状態に切り換えられる。ここでは、第２利用側コントローラ１０８ａ、１０８ｂのうちの１つによって、温調モードとしての熱源側切換機構２３の切換状態を熱源側蒸発運転状態に切り換えた上で、第１利用側コントローラ７７ａの運転指令によって、第１利用ユニット４ａ（及び、貯湯ユニット８ａ及び／又は温水暖房ユニット９ａ）の運転（給湯運転）と、第２利用側コントローラ１０８ａ及び／又は第２利用側コントローラ１０８ｂの運転指令によって、第２利用ユニット１０ａ及び／又は第２利用ユニット１０ｂの運転（暖房運転）が行われる。
【０１７１】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側切換機構２３、第２熱源側ガス冷媒管２３ｂ及びガス側閉鎖弁３０を通じて、熱源ユニット２からガス冷媒連絡管１４に送られる。
【０１７２】
ガス冷媒連絡管１４に送られた高圧の熱源側冷媒は、第１利用ユニット４ａ及び第２利用ユニット１０ａ、１０ｂ（ここでは、第２利用ユニット１０ａ、１０ｂの両方を暖房運転するものとして説明する）に送られる。
【０１７３】
第２利用ユニット１０ａ、１０ｂに送られた高圧の熱源側冷媒は、第２利用側ガス冷媒管１０４ａ、１０４ｂを通じて、第２利用側熱交換器１０１ａ、１０１ｂに送られる。第２利用側熱交換器１０１ａ、１０１ｂに送られた高圧の熱源側冷媒は、第２利用側熱交換器１０１ａ、１０１ｂにおいて、利用側ファン１０５ａ、１０５ｂによって供給される空気媒体と熱交換を行って放熱し、これにより、室内の暖房を行う。第２利用側熱交換器１０１ａ、１０１ｂにおいて放熱した高圧の熱源側冷媒は、第２利用側流量調節弁１０２ａ、１０２ｂ及び第２利用側液冷媒管１０３ａ、１０３ｂを通じて、第２利用ユニット１０ａ、１０ｂから液冷媒連絡管１３に送られる。
【０１７４】
第１利用ユニット４ａに送られた高圧の熱源側冷媒は、第１利用側ガス冷媒管５４ａを通じて、第１利用側熱交換器４１ａに送られる。第１利用側熱交換器４１ａに送られた高圧の熱源側冷媒は、第１利用側熱交換器４１ａにおいて、利用側冷媒回路４０ａを循環する冷凍サイクルにおける低圧の利用側冷媒と熱交換を行って放熱する。第１利用側熱交換器４１ａにおいて放熱した高圧の熱源側冷媒は、第１利用側流量調節弁４２ａ及び第１利用側液冷媒管４５ａを通じて、第１利用ユニット４ａから液冷媒連絡管１３に送られる。
【０１７５】
第２利用ユニット１０ａ、１０ｂ及び第１利用ユニット４ａから液冷媒連絡管１３に送られた熱源側冷媒は、液冷媒連絡管１３において合流して、熱源ユニット２に送られる。熱源ユニット２に送られた熱源側冷媒は、液側閉鎖弁２９を通じて、過冷却器２７に送られる。過冷却器２７に送られた熱源側冷媒は、吸入戻し管２６に熱源側冷媒が流れていないため、熱交換を行うことなく、熱源側膨張弁２５に送られる。熱源側膨張弁２５に送られた熱源側冷媒は、熱源側膨張弁２５において減圧されて、低圧の気液二相状態になり、熱源側液冷媒管２４ａを通じて、熱源側熱交換器２４に送られる。熱源側熱交換器２４に送られた低圧の冷媒は、熱源側熱交換器２４において、熱源側ファン３２によって供給される室外空気と熱交換を行って蒸発する。熱源側熱交換器２４において蒸発した低圧の熱源側冷媒は、第１熱源側ガス冷媒管２３ａ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０１７６】
一方、利用側冷媒回路４０ａにおいては、第１利用側熱交換器４１ａにおける熱源側冷媒の放熱によって利用側冷媒回路４０ａを循環する冷凍サイクルにおける低圧の利用側冷媒が加熱されて蒸発する。第１利用側熱交換器４１ａにおいて蒸発した低圧の利用側冷媒は、第２カスケード側ガス冷媒管６９ａを通じて、利用側アキュムレータ６７ａに送られる。利用側アキュムレータ６７ａに送られた低圧の利用側冷媒は、カスケード側吸入管７１ａを通じて、利用側圧縮機６２ａに吸入され、冷凍サイクルにおける高圧まで圧縮された後に、カスケード側吐出管７０ａに吐出される。カスケード側吐出管７０ａに吐出された高圧の利用側冷媒は、第１カスケード側ガス冷媒管７２ａを通じて、冷媒−水熱交換器６５ａに送られる。冷媒−水熱交換器６５ａに送られた高圧の利用側冷媒は、冷媒−水熱交換器６５ａにおいて、循環ポンプ４３ａによって水媒体回路８０ａを循環する水媒体と熱交換を行って放熱する。冷媒−水熱交換器６５ａにおいて放熱した高圧の利用側冷媒は、冷媒−水熱交側流量調節弁６６ａにおいて減圧されて、低圧の気液二相状態になり、カスケード側液冷媒管６８ａを通じて、再び、第１利用側熱交換器４１ａに送られる。
【０１７７】
また、水媒体回路８０ａにおいては、冷媒−水熱交換器６５ａにおける利用側冷媒の放熱によって水媒体回路８０ａを循環する水媒体が加熱される。冷媒−水熱交換器６５ａにおいて加熱された水媒体は、第１利用側水出口管４８ａを通じて、循環ポンプ４３ａに吸入され、昇圧された後に、第１利用ユニット４ａから水媒体連絡管１６ａに送られる。貯湯ユニット８ａに送られた水媒体は、熱交換コイル８２ａにおいて貯湯タンク８１ａ内の水媒体と熱交換を行って放熱し、これにより、貯湯タンク８１ａ内の水媒体を加熱する。温水暖房ユニット９ａに送られた水媒体は、熱交換パネル９１ａにおいて放熱し、これにより、室内の壁際等を加熱したり室内の床を加熱する。
【０１７８】
このようにして、第１利用ユニット４ａの給湯運転を行うとともに第２利用ユニット１０ａ及び／又は第２利用ユニット１０ｂの暖房運転を行う給湯暖房運転における動作が行われる。
【０１７９】
このように、このヒートポンプシステム２００では、第１実施形態のヒートポンプシステム１と同様に、温調モードを熱源側放熱運転状態に切り換えたままでは、給湯運転や暖房運転を行うことができず、また、温調モードを熱源側蒸発運転状態に切り換えたままでは、冷房運転を行うことができない。すなわち、第１利用ユニット４ａ及び第２利用ユニット１０ａ、１０ｂにおいて所望の運転を行うためには、第１利用側コントローラ７７ａから第１利用ユニット４ａへの給湯運転の指令や第２利用側コントローラ１０８ａ、１０８ｂから第２利用ユニット１０ａ、１０ｂへの冷房運転又は暖房運転の指令だけでなく、第１及び第２利用ユニット４ａ、１０ａ、１０ｂに共通の熱源ユニット２における運転状態を決定する熱源側切換機構２３の切換状態である温調モードの切り換えが必要であり、その意味において、このヒートポンプシステム２００は、第１利用ユニット４ａ及び第２利用ユニット１０ａ、１０ｂが個別に給湯運転、冷房運転又は暖房運転を選択して運転できないものとなっている。
【０１８０】
そして、このヒートポンプシステム２００においても、第１実施形態のヒートポンプシステム１と同様に、第２利用ユニット１０ａ、１０ｂに指令を行う第２利用側コントローラ１０８ａ、１０８ｂのうちの１つ（ここでは、第２利用側コントローラ１０８ａとする）が指令している温調モードとしての熱源側切換機構２３の切換状態とは異なる温調モードに切り換えて運転することが可能な温調モード切り換え制御を行うようにしている。尚、温調モード切り換え制御については、第１実施形態のヒートポンプシステム１における温調モード切り換え制御と同様であるため（図２等参照）、ここでは説明を省略する。
【０１８１】
これにより、このヒートポンプシステム２００においても、第１実施形態のヒートポンプシステム１と同様の作用効果を得ることができる。
【０１８２】
（第３実施形態）
上述の第１実施形態におけるヒートポンプシステム１（図１参照）においては、第１利用ユニット４ａの給湯運転を行うとともに第２利用ユニット１０ａ、１０ｂの冷房運転を行うことができないため、このような運転（以下、「排熱給湯運転」とする）を行うことができれば、夏期等の冷房運転が行われている運転状態において、第２利用側熱交換器１０１ａ、１０１ｂにおける蒸発負荷（すなわち、冷房負荷）に見合う分の第１利用側熱交換器４ａにおける放熱負荷（すなわち、給湯負荷）によって給湯運転を行うことができるようになるため、省エネルギー化の観点から好ましい。
【０１８３】
そこで、このヒートポンプシステム３００では、上述の第１実施形態にかかるヒートポンプシステム１（図１参照）の構成において、図４に示されるように、第２利用側熱交換器１０１ａ、１０１ｂを熱源側冷媒の蒸発器として機能させることで空気媒体を冷却するとともに、第１利用側熱交換器４１ａを熱源側冷媒の放熱器として機能させることで水媒体を加熱する運転である排熱給湯運転を行うことができるようにしている。以下、このヒートポンプシステム３００の構成について説明する。
【０１８４】
＜構成＞
−全体−
図４は、本発明の第３実施形態にかかるヒートポンプシステム３００の概略構成図である。ヒートポンプシステム３００は、蒸気圧縮式のヒートポンプサイクルを利用して水媒体を加熱する運転等を行うことが可能な装置である。
【０１８５】
ヒートポンプシステム３００は、主として、熱源ユニット２と、第１利用ユニット４ａと、第２利用ユニット１０ａ、１０ｂと、吐出冷媒連絡管１２と、液冷媒連絡管１３と、ガス冷媒連絡管１４と、貯湯ユニット８ａと、温水暖房ユニット９ａと、水媒体連絡管１５ａと、水媒体連絡管１６ａとを備えており、熱源ユニット２と第１利用ユニット４ａと第２利用ユニット１０ａとが冷媒連絡管１２、１３、１４を介して接続されることによって、熱源側冷媒回路２０を構成し、第１利用ユニット４ａが利用側冷媒回路４０ａを構成し、第１利用ユニット４ａと貯湯ユニット８ａと温水暖房ユニット９ａとが水媒体連絡管１５ａ、１６ａを介して接続されることによって、水媒体回路８０ａを構成している。熱源側冷媒回路２０には、ＨＦＣ系冷媒の一種であるＨＦＣ−４１０Ａが熱源側冷媒として封入されており、また、ＨＦＣ系冷媒に対して相溶性を有するエステル系又はエーテル系の冷凍機油が熱源側圧縮機２２の潤滑のために封入されている。また、利用側冷媒回路４０ａには、ＨＦＣ系冷媒の一種であるＨＦＣ−１３４ａが利用側冷媒として封入されており、また、ＨＦＣ系冷媒に対して相溶性を有するエステル系又はエーテル系の冷凍機油が利用側圧縮機６２ａの潤滑のために封入されている。尚、利用側冷媒としては、高温の冷凍サイクルに有利な冷媒を使用されるという観点から、飽和ガス温度６５℃に相当する圧力がゲージ圧で高くとも２．８ＭＰａ以下、好ましくは、２．０ＭＰａ以下の冷媒を使用することが好ましい。そして、ＨＦＣ−１３４ａは、このような飽和圧力特性を有する冷媒の一種である。また、水媒体回路８０ａには、水媒体としての水が循環するようになっている。
【０１８６】
尚、以下の構成に関する説明では、第１実施形態におけるヒートポンプシステム１（図１参照）と同様の構成を有する第２利用ユニット１０ａ、１０ｂ、貯湯ユニット８ａ、温水暖房ユニット９ａ、液冷媒連絡管１３、ガス冷媒連絡管１４、水媒体連絡管１５ａ、１６ａ、第１利用側コントローラ７７ａ、及び、第２利用側コントローラ１０８ａ、１０８ｂの構成については、同じ符号を付して説明を省略し、熱源ユニット２、吐出冷媒連絡管１２、及び、第１利用ユニット４ａの構成のみについて説明を行う。
【０１８７】
−熱源ユニット−
熱源ユニット２は、屋外に設置されており、冷媒連絡管１２、１３、１４を介して利用ユニット４ａ、１０ａに接続されており、熱源側冷媒回路２０の一部を構成している。
【０１８８】
熱源ユニット２は、主として、熱源側圧縮機２１と、油分離機構２２と、熱源側切換機構２３と、熱源側熱交換器２４と、熱源側膨張機構２５と、吸入戻し管２６と、過冷却器２７と、熱源側アキュムレータ２８と、液側閉鎖弁２９と、ガス側閉鎖弁３０と、吐出側閉鎖弁３１とを有している。
【０１８９】
ここで、吐出側閉鎖弁３１は、熱源側圧縮機２１の吐出と熱源側切換機構２３とを接続する熱源側吐出管２１ｂから分岐された熱源側吐出分岐管２１ｄとガス冷媒連絡管１４との接続部に設けられた弁である。
【０１９０】
尚、熱源ユニット２は、吐出側閉鎖弁３１及び熱源側吐出分岐管２１ｄを有する点を除いた構成については、第１実施形態におけるヒートポンプシステム１（図１参照）と同様であるため、ここでは、同じ符号を付して説明を省略する。
【０１９１】
−吐出冷媒連絡管−
吐出冷媒連絡管１２は、吐出側閉鎖弁３１を介して熱源側吐出分岐管２１ｄに接続されており、熱源側切換機構２３が熱源側放熱運転状態及び熱源側蒸発運転状態のいずれにおいても熱源側圧縮機２１の吐出から熱源ユニット２外に熱源側冷媒を導出することが可能な冷媒管である。
【０１９２】
−第１利用ユニット−
第１利用ユニット４ａは、屋内に設置されており、冷媒連絡管１２、１３を介して熱源ユニット２及び第２利用ユニット１０ａに接続されており、熱源側冷媒回路２０の一部を構成している。また、第１利用ユニット４ａは、水媒体連絡管１５ａ、１６ａを介して貯湯ユニット８ａ及び温水暖房ユニット９ａに接続されており、水媒体回路８０ａの一部を構成している。
【０１９３】
第１利用ユニット４ａは、主として、第１利用側熱交換器４１ａと、第１利用側流量調節弁４２ａと、循環ポンプ４３ａとを有している。
【０１９４】
ここで、第１利用側熱交換器４１ａには、その熱源側冷媒が流れる流路のガス側に、第１実施形態におけるヒートポンプシステム１（図１参照）のようなガス冷媒連絡管１４に接続された第１利用側ガス冷媒管５４ａに代えて、吐出冷媒連絡管１２が接続された第１利用側吐出冷媒管４６ａが接続されている。第１利用側吐出冷媒管４６ａには、吐出冷媒連絡管１２から第１利用側熱交換器４１ａへ向かう熱源側冷媒の流れを許容し、第１利用側熱交換器４１ａから吐出冷媒連絡管１２へ向かう熱源側冷媒の流れを禁止する第１利用側吐出逆止弁４９ａが設けられている。
【０１９５】
尚、利用ユニット４ａは、第１利用側ガス冷媒管５４ａに代えて、第１利用側吐出冷媒管４６ａが接続されている点を除いた構成については、第１実施形態におけるヒートポンプシステム１（図１参照）と同様であるため、ここでは、同じ符号を付して説明を省略する。
【０１９６】
＜動作＞
次に、ヒートポンプシステム３００の動作について説明する。
【０１９７】
ヒートポンプシステム３００の運転としては、第１利用ユニット４ａの給湯運転（すなわち、貯湯ユニット８ａ及び／又は温水暖房ユニット９ａの運転）のみを行う給湯運転と、第２利用ユニット１０ａ及び／又は第２利用ユニット１０ｂの冷房運転のみを行う冷房運転と、第２利用ユニット１０ａ及び／又は第２利用ユニット１０ｂの暖房運転のみを行う暖房運転と、第１利用ユニット４ａの給湯運転を行うとともに第２利用ユニット１０ａ及び／又は第２利用ユニット１０ｂの暖房運転を行う給湯暖房運転と、第１利用ユニット４ａの給湯運転を行うとともに第２利用ユニット１０ａ及び／又は第２利用ユニット１０ｂの冷房運転を行う排熱給湯運転とがある。
【０１９８】
以下、ヒートポンプシステム３００の５つの運転における動作について説明する。
【０１９９】
−給湯運転−
第１利用ユニット４ａの給湯運転のみを行う場合には、熱源側冷媒回路２０においては、熱源側切換機構２３が熱源側蒸発運転状態（図４の熱源側切換機構２３の破線で示された状態）に切り換えられ、吸入戻し膨張弁２６ａ及び第２利用側流量調節弁１０２ａ、１０２ｂが閉止された状態になる。また、水媒体回路８０ａにおいては、水媒体切換機構１６１ａが貯湯ユニット８ａ及び／又は温水暖房ユニット９ａに水媒体を供給する状態に切り換えられる。ここでは、第２利用側コントローラ１０８ａ、１０８ｂのうちの１つによって、温調モードとしての熱源側切換機構２３の切換状態を熱源側蒸発運転状態に切り換えた上で、第１利用側コントローラ７７ａの運転指令によって、第１利用ユニット４ａ（及び、貯湯ユニット８ａ及び／又は温水暖房ユニット９ａ）の運転（給湯運転）が行われる。
【０２００】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側吐出分岐管２１ｄ及び吐出側閉鎖弁３１を通じて、熱源ユニット２から吐出冷媒連絡管１２に送られる。
【０２０１】
吐出冷媒連絡管１２に送られた高圧の熱源側冷媒は、第１利用ユニット４ａに送られる。第１利用ユニット４ａに送られた高圧の熱源側冷媒は、第１利用側吐出冷媒管４６ａ及び第１利用側吐出逆止弁４９ａを通じて、第１利用側熱交換器４１ａに送られる。第１利用側熱交換器４１ａに送られた高圧の熱源側冷媒は、第１利用側熱交換器４１ａにおいて、循環ポンプ４３ａによって水媒体回路８０ａを循環する水媒体と熱交換を行って放熱する。第１利用側熱交換器４１ａにおいて放熱した高圧の熱源側冷媒は、第１利用側流量調節弁４２ａ及び第１利用側液冷媒管４５ａを通じて、第１利用ユニット４ａから液冷媒連絡管１３に送られる。
【０２０２】
液冷媒連絡管１３に送られた熱源側冷媒は、熱源ユニット２に送られる。熱源ユニット２に送られた熱源側冷媒は、液側閉鎖弁２９を通じて、過冷却器２７に送られる。過冷却器２７に送られた熱源側冷媒は、吸入戻し管２６に熱源側冷媒が流れていないため、熱交換を行うことなく、熱源側膨張弁２５に送られる。熱源側膨張弁２５に送られた熱源側冷媒は、熱源側膨張弁２５において減圧されて、低圧の気液二相状態になり、熱源側液冷媒管２４ａを通じて、熱源側熱交換器２４に送られる。熱源側熱交換器２４に送られた低圧の冷媒は、熱源側熱交換器２４において、熱源側ファン３２によって供給される室外空気と熱交換を行って蒸発する。熱源側熱交換器２４において蒸発した低圧の熱源側冷媒は、第１熱源側ガス冷媒管２３ａ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０２０３】
一方、水媒体回路８０ａにおいては、第１利用側熱交換器４１ａにおける熱源側冷媒の放熱によって水媒体回路８０ａを循環する水媒体が加熱される。第１利用側熱交換器４１ａにおいて加熱された水媒体は、第１利用側水出口管４８ａを通じて、循環ポンプ４３ａに吸入され、昇圧された後に、第１利用ユニット４ａから水媒体連絡管１６ａに送られる。水媒体連絡管１６ａに送られた水媒体は、水媒体側切換機構１６１ａを通じて、貯湯ユニット８ａ及び／又は温水暖房ユニット９ａに送られる。貯湯ユニット８ａに送られた水媒体は、熱交換コイル８２ａにおいて貯湯タンク８１ａ内の水媒体と熱交換を行って放熱し、これにより、貯湯タンク８１ａ内の水媒体を加熱する。温水暖房ユニット９ａに送られた水媒体は、熱交換パネル９１ａにおいて放熱し、これにより、室内の壁際等を加熱したり室内の床を加熱する。
【０２０４】
このようにして、第１利用ユニット４ａの給湯運転のみを行う給湯運転における動作が行われる。
【０２０５】
−冷房運転−
第２利用ユニット１０ａ及び／又は第２利用ユニット１０ｂの冷房運転のみを行う場合には、熱源側冷媒回路２０においては、熱源側切換機構２３が熱源側放熱運転状態（図４の熱源側切換機構２３の実線で示された状態）に切り換えられ、第１利用側流量調節弁４２ａが閉止された状態になる。ここでは、第２利用側コントローラ１０８ａ、１０８ｂのうちの１つによって、温調モードとしての熱源側切換機構２３の切換状態を熱源側放熱運転状態に切り換えた上で、第２利用側コントローラ１０８ａ及び／又は第２利用側コントローラ１０８ｂの運転指令によって、第２利用ユニット１０ａ及び／又は第２利用ユニット１０ｂの運転（冷房運転）が行われる。尚、冷房運転については、第１実施形態のヒートポンプシステム１における冷房運転と同様であるため、ここでは説明を省略する。
【０２０６】
−暖房運転−
第２利用ユニット１０ａ及び／又は第２利用ユニット１０ｂの暖房運転のみを行う場合には、熱源側冷媒回路２０においては、熱源側切換機構２３が熱源側放熱運転状態（図４の熱源側切換機構２３の破線で示された状態）に切り換えられ、吸入戻し膨張弁２６ａ及び第１利用側流量調節弁４２ａが閉止された状態になる。ここでは、第２利用側コントローラ１０８ａ、１０８ｂのうちの１つによって、温調モードとしての熱源側切換機構２３の切換状態を熱源側蒸発運転状態に切り換えた上で、第２利用側コントローラ１０８ａ及び／又は第２利用側コントローラ１０８ｂの運転指令によって、第２利用ユニット１０ａ及び／又は第２利用ユニット１０ｂの運転（暖房運転）が行われる。尚、暖房運転については、第１実施形態のヒートポンプシステム１における暖房運転と同様であるため、ここでは説明を省略する。
【０２０７】
−給湯暖房運転−
第１利用ユニット４ａの給湯運転を行うとともに第２利用ユニット１０ａ及び／又は第２利用ユニット１０ｂの暖房運転を行う場合には、熱源側冷媒回路２０においては、熱源側切換機構２３が熱源側蒸発運転状態（図４の熱源側切換機構２３の破線で示された状態）に切り換えられ、吸入戻し膨張弁２６ａが閉止された状態になる。また、水媒体回路８０ａにおいては、水媒体切換機構１６１ａが貯湯ユニット８ａ及び／又は温水暖房ユニット９ａに水媒体を供給する状態に切り換えられる。ここでは、第２利用側コントローラ１０８ａ、１０８ｂのうちの１つによって、温調モードとしての熱源側切換機構２３の切換状態を熱源側蒸発運転状態に切り換えた上で、第１利用側コントローラ７７ａの運転指令によって、第１利用ユニット４ａ（及び、貯湯ユニット８ａ及び／又は温水暖房ユニット９ａ）の運転（給湯運転）と、第２利用側コントローラ１０８ａ及び／又は第２利用側コントローラ１０８ｂの運転指令によって、第２利用ユニット１０ａ及び／又は第２利用ユニット１０ｂの運転（暖房運転）が行われる。
【０２０８】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、その一部が、熱源側吐出分岐管２１ｄ及び吐出側閉鎖弁３１を通じて、熱源ユニット２から吐出冷媒連絡管１２に送られ、その残りが、熱源側切換機構２３、第２熱源側ガス冷媒管２３ｂ及びガス側閉鎖弁３０を通じて、熱源ユニット２からガス冷媒連絡管１４に送られる。
【０２０９】
ガス冷媒連絡管１４に送られた高圧の熱源側冷媒は、第２利用ユニット１０ａ、１０ｂ（ここでは、第２利用ユニット１０ａ、１０ｂの両方を暖房運転するものとして説明する）に送られる。第２利用ユニット１０ａ、１０ｂに送られた高圧の熱源側冷媒は、第２利用側ガス冷媒管１０４ａ、１０４ｂを通じて、第２利用側熱交換器１０１ａ、１０１ｂに送られる。第２利用側熱交換器１０１ａ、１０１ｂに送られた高圧の熱源側冷媒は、第２利用側熱交換器１０１ａ、１０１ｂにおいて、利用側ファン１０５ａ、１０５ｂによって供給される空気媒体と熱交換を行って放熱し、これにより、室内の暖房を行う。第２利用側熱交換器１０１ａ、１０１ｂにおいて放熱した高圧の熱源側冷媒は、第２利用側流量調節弁１０２ａ、１０２ｂ及び第２利用側液冷媒管１０３ａ、１０３ｂを通じて、第２利用ユニット１０ａ、１０ｂから液冷媒連絡管１３に送られる。
【０２１０】
吐出冷媒連絡管１２に送られた高圧の熱源側冷媒は、第１利用ユニット４ａに送られる。第１利用ユニット４ａに送られた高圧の熱源側冷媒は、第１利用側吐出冷媒管４６ａ及び第１利用側吐出逆止弁４９ａを通じて、第１利用側熱交換器４１ａに送られる。第１利用側熱交換器４１ａに送られた高圧の熱源側冷媒は、第１利用側熱交換器４１ａにおいて、循環ポンプ４３ａによって水媒体回路８０ａを循環する水媒体と熱交換を行って放熱する。第１利用側熱交換器４１ａにおいて放熱した高圧の熱源側冷媒は、第１利用側流量調節弁４２ａ及び第１利用側液冷媒管４５ａを通じて、第１利用ユニット４ａから液冷媒連絡管１３に送られる。
【０２１１】
第２利用ユニット１０ａ、１０ｂ及び第１利用ユニット４ａから液冷媒連絡管１３に送られた熱源側冷媒は、液冷媒連絡管１３において合流して、熱源ユニット２に送られる。熱源ユニット２に送られた熱源側冷媒は、液側閉鎖弁２９を通じて、過冷却器２７に送られる。過冷却器２７に送られた熱源側冷媒は、吸入戻し管２６に熱源側冷媒が流れていないため、熱交換を行うことなく、熱源側膨張弁２５に送られる。熱源側膨張弁２５に送られた熱源側冷媒は、熱源側膨張弁２５において減圧されて、低圧の気液二相状態になり、熱源側液冷媒管２４ａを通じて、熱源側熱交換器２４に送られる。熱源側熱交換器２４に送られた低圧の冷媒は、熱源側熱交換器２４において、熱源側ファン３２によって供給される室外空気と熱交換を行って蒸発する。熱源側熱交換器２４において蒸発した低圧の熱源側冷媒は、第１熱源側ガス冷媒管２３ａ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０２１２】
一方、水媒体回路８０ａにおいては、第１利用側熱交換器４１ａにおける熱源側冷媒の放熱によって水媒体回路８０ａを循環する水媒体が加熱される。第１利用側熱交換器４１ａにおいて加熱された水媒体は、第１利用側水出口管４８ａを通じて、循環ポンプ４３ａに吸入され、昇圧された後に、第１利用ユニット４ａから水媒体連絡管１６ａに送られる。水媒体連絡管１６ａに送られた水媒体は、水媒体側切換機構１６１ａを通じて、貯湯ユニット８ａ及び／又は温水暖房ユニット９ａに送られる。貯湯ユニット８ａに送られた水媒体は、熱交換コイル８２ａにおいて貯湯タンク８１ａ内の水媒体と熱交換を行って放熱し、これにより、貯湯タンク８１ａ内の水媒体を加熱する。温水暖房ユニット９ａに送られた水媒体は、熱交換パネル９１ａにおいて放熱し、これにより、室内の壁際等を加熱したり室内の床を加熱する。
【０２１３】
このようにして、第１利用ユニット４ａの給湯運転を行うとともに第２利用ユニット１０ａ及び／又は第２利用ユニット１０ｂの暖房運転を行う給湯暖房運転における動作が行われる。
【０２１４】
−排熱給湯運転−
第１利用ユニット４ａの給湯運転を行うとともに第２利用ユニット１０ａ及び／又は第２利用ユニット１０ｂの冷房運転を行う排熱給湯運転を行う場合には、熱源側冷媒回路２０においては、熱源側切換機構２３が熱源側放熱運転状態（図４の熱源側切換機構２３の実線で示された状態）に切り換えられた状態になる。また、水媒体回路８０ａにおいては、水媒体切換機構１６１ａが貯湯ユニット８ａに水媒体を供給する状態に切り換えられる。ここでは、第２利用側コントローラ１０８ａ、１０８ｂのうちの１つによって、温調モードとしての熱源側切換機構２３の切換状態を熱源側蒸発運転状態に切り換えた上で、第１利用側コントローラ７７ａの運転指令によって、第１利用ユニット４ａ（及び、貯湯ユニット８ａ及び／又は温水暖房ユニット９ａ）の運転（給湯運転）と、第２利用側コントローラ１０８ａ及び／又は第２利用側コントローラ１０８ｂの運転指令によって、第２利用ユニット１０ａ及び／又は第２利用ユニット１０ｂの運転（冷房運転）が行われる。
【０２１５】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、その一部が、熱源側吐出分岐管２１ｄ及び吐出側閉鎖弁３１を通じて、熱源ユニット２から吐出冷媒連絡管１２に送られ、その残りが、熱源側切換機構２３及び第１熱源側ガス冷媒管２３ａを通じて、熱源側熱交換器２４に送られる。熱源側熱交換器２４に送られた高圧の熱源側冷媒は、熱源側熱交換器２４において、熱源側ファン３２によって供給される室外空気と熱交換を行って放熱する。熱源側熱交換器において放熱した高圧の熱源側冷媒は、熱源側膨張弁２５を通じて、過冷却器２７に送られる。過冷却器２７に送られた熱源側冷媒は、熱源側液冷媒管２４ａから吸入戻し管２６に分岐された熱源側冷媒と熱交換を行って過冷却状態になるように冷却される。吸入戻し管２６を流れる熱源側冷媒は、熱源側吸入管２１ｃに戻される。過冷却器２７において冷却された熱源側冷媒は、熱源側液冷媒管２４ａ及び液側閉鎖弁２９を通じて、熱源ユニット２から液冷媒連絡管１３に送られる。
【０２１６】
吐出冷媒連絡管１２に送られた高圧の熱源側冷媒は、第１利用ユニット４ａに送られる。第１利用ユニット４ａに送られた高圧の熱源側冷媒は、第１利用側吐出冷媒管４６ａ及び第１利用側吐出逆止弁４９ａを通じて、第１利用側熱交換器４１ａに送られる。第１利用側熱交換器４１ａに送られた高圧の熱源側冷媒は、第１利用側熱交換器４１ａにおいて、循環ポンプ４３ａによって水媒体回路８０ａを循環する水媒体と熱交換を行って放熱する。第１利用側熱交換器４１ａにおいて放熱した高圧の熱源側冷媒は、第１利用側流量調節弁４２ａ及び第１利用側液冷媒管４５ａを通じて、第１利用ユニット４ａから液冷媒連絡管１３に送られる。
【０２１７】
熱源ユニット２及び第１利用ユニット４ａから液冷媒連絡管１３に送られた熱源側冷媒は、液冷媒連絡管１３において合流して、第２利用ユニット１０ａ、１０ｂ（ここでは、第２利用ユニット１０ａ、１０ｂの両方を暖房運転するものとして説明する）に送られる。第２利用ユニット１０ａ、１０ｂに送られた熱源側冷媒は、第２利用側流量調節弁１０２ａ、１０２ｂに送られる。第２利用側流量調節弁１０２ａ、１０２ｂに送られた熱源側冷媒は、第２利用側流量調節弁１０２ａ、１０２ｂにおいて減圧されて、低圧の気液二相状態になり、第２利用側液冷媒管１０３ａ、１０３ｂを通じて、第２利用側熱交換器１０１ａ、１０１ｂに送られる。第２利用側熱交換器１０１ａ、１０１ｂに送られた低圧の熱源側冷媒は、第２利用側熱交換器１０１ａ、１０１ｂにおいて、利用側ファン１０５ａ、１０５ａによって供給される空気媒体と熱交換を行って蒸発し、これにより、室内の冷房を行う。第２利用側熱交換器１０１ａ、１０１ｂにおいて蒸発した低圧の熱源側冷媒は、第２利用側ガス冷媒管１０４ａ、１０４ｂを通じて、第２利用ユニット１０ａ、１０ｂからガス冷媒連絡管１４に送られる。
【０２１８】
ガス冷媒連絡管１４に送られた低圧の熱源側冷媒は、熱源ユニット２に送られる。熱源ユニット２に送られた低圧の熱源側冷媒は、ガス側閉鎖弁３０、第２熱源側ガス冷媒管２３ｂ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０２１９】
一方、水媒体回路８０ａにおいては、第１利用側熱交換器４１ａにおける熱源側冷媒の放熱によって水媒体回路８０ａを循環する水媒体が加熱される。第１利用側熱交換器４１ａにおいて加熱された水媒体は、第１利用側水出口管４８ａを通じて、循環ポンプ４３ａに吸入され、昇圧された後に、第１利用ユニット４ａから水媒体連絡管１６ａに送られる。水媒体連絡管１６ａに送られた水媒体は、水媒体側切換機構１６１ａを通じて、貯湯ユニット８ａ及び／又は温水暖房ユニット９ａに送られる。貯湯ユニット８ａに送られた水媒体は、熱交換コイル８２ａにおいて貯湯タンク８１ａ内の水媒体と熱交換を行って放熱し、これにより、貯湯タンク８１ａ内の水媒体を加熱する。
【０２２０】
このようにして、第１利用ユニット４ａの給湯運転を行うとともに第２利用ユニット１０ａ及び／又は第２利用ユニット１０ｂの冷房運転を行う排熱給湯運転における動作が行われる。
【０２２１】
このように、このヒートポンプシステム３００では、排熱給湯運転を行う場合には、温調モードを熱源側放熱運転状態に切り換えたままでも給湯運転を行うことができるが、このような排熱給湯運転を行う場合には、第２利用側熱交換器１０１ａ、１０１ｂにおける蒸発負荷に見合う分の第１利用側熱交換器４１ａにおける放熱負荷によって給湯運転が行われることになるため、所望の給湯負荷をまかなうことができないこともあり、この場合には、温調モードを熱源側蒸発運転状態に切り換えて給湯運転を行う必要がある。また、春期や秋期等には、必要に応じて冷房運転や暖房運転を行うこともあり、この場合にも、温調モードの切り換えが必要である。すなわち、このヒートポンプシステム３００のような、排熱給湯運転を行うことが可能な構成であっても、温調モードの切り換えが必要であり、その意味において、このヒートポンプシステム３００も、第１利用ユニット４ａ及び第２利用ユニット１０ａ、１０ｂが個別に給湯運転、冷房運転又は暖房運転を選択して運転できないものとなっている。
【０２２２】
−温調モード切り換え制御−
しかし、ユーザーは、このヒートポンプシステム３００を、第１実施形態のヒートポンプシステム１と同様、単に、第２利用ユニット１０ａ、１０ｂによる冷暖房装置と第１利用ユニット４ａ等による給湯装置とが併存したしたものと受け取ってしまうため、温調モードの切り換えの必要性を認識できず、温調モードの切り換えを忘れたり、切り換えミスを生じるおそれがあり、また、温調モードの切り換えも煩雑である。
【０２２３】
そこで、このヒートポンプシステム３００では、第２利用ユニット１０ａ、１０ｂに指令を行う第２利用側コントローラ１０８ａ、１０８ｂのうちの１つ（ここでは、第２利用側コントローラ１０８ａとする）が指令している温調モードとしての熱源側切換機構２３の切換状態とは異なる温調モードに切り換えて運転することが可能な温調モード切り換え制御を行うようにしている。
【０２２４】
以下に、このヒートポンプシステム３００における温調モード切り換え制御の制御ロジックについて、図５を用いて説明する。この温調モード切り換え制御では、温調モードが熱源側放熱運転状態になっている（すなわち、第２利用ユニット１０ａ、１０ｂが冷房運転しているか、冷房運転を行っていなくても、第２利用側コントローラ１０８ａが温調モードを熱源側放熱運転状態になるように指令している）際において、第１利用側コントローラ７７ａから第１利用ユニット４ａに給湯運転が指令された場合（したがって、温調モードを熱源側蒸発運転状態しなければならない場合）には、温調モードを熱源側蒸発運転状態に切り換えて、第１利用ユニット４ａの給湯運転を行う運転である優先給湯運転（ステップＳ１７〜Ｓ１９）が行われるようになっており、それ以外の場合には、指令されている温調モード（ここでは、第２利用側コントローラ１０８ａによって指令されている温調モード）における運転（ステップＳ１１、Ｓ１４）が行われるようになっている。
【０２２５】
まず、ステップＳ１１の運転状態、すなわち、第２利用側コントローラ１０８ａによって指令されている温調モードにおける運転（図５では、この運転を「優先給湯運転＝ＯＦＦ」とする）が継続しているものとする。
【０２２６】
次に、ステップＳ１２において、条件Ａを満たすかどうかを判定する。ここで、条件Ａは、第２利用側コントローラ１０８ａによって指令されている温調モードが熱源側放熱運転状態（図５では、この状態を「温調モード＝冷房」とする）であり、かつ、所定の第３時間ｔｍ３が経過し（図５では、この状態を「ｔｍ３タイムアップ」とする）、かつ、第１利用側コントローラ７７ａによって第１利用ユニット４ａに給湯運転が指令されたかどうか（図５では、この指令がなされた状態を「給湯運転要求＝ＯＮ」とする）であり、かつ、第２利用ユニット１０ａ、１０ｂの冷房運転中に第１利用ユニット４ａの給湯運転を行う排熱給湯運転が行われていないかどうか（図５では、この排熱給湯運転が行われていない状態を「排熱給湯運転要求＝ＯＦＦ」とする）、これにより、温調モードが熱源側放熱運転状態になっている際に第１利用ユニット４ａに給湯運転が指令されたかどうかを判定する。ここで、時間ｔｍ３は、後述のステップＳ２０において設定される時間である。また、排熱給湯運転は、冷房運転を行っている際において、貯湯ユニット８ａの貯湯温度Ｔｗｈが所定の貯湯設定温度Ｔｗｈｓ以下になった場合に、自動的に、第１利用ユニット４ａが第１利用側熱交換器４１ａにおける熱源側冷媒の放熱によって水媒体を加熱する給湯運転を行うものである。そして、このステップＳ１２において、条件Ａを満たさないと判定された場合、すなわち、温調モードが熱源側蒸発運転状態である場合（図５では、この状態を「温調モード≠冷房」とする）、又は、第３時間ｔｍ３が経過していない場合、又は、第１利用側コントローラ７７ａによって第１利用ユニット４ａに給湯運転が指令されていない場合（すなわち、「給湯運転要求＝ＯＦＦ」）には、第２利用側コントローラ１０８ａによって指令されている温調モードにおける運転（すなわち、「優先給湯運転＝ＯＦＦ」）を継続し、条件Ａを満たすと判定された場合には、温調モードが熱源側放熱運転状態にあり、また、排熱給湯運転では所望の給湯負荷をまかなうことができない状態（給湯負荷が大きく、排熱給湯運転では、貯湯温度Ｔｗｈを所定の貯湯設定温度Ｔｗｈｓ以上にすることができない状態）となっているため、優先給湯運転（ステップＳ１７〜Ｓ１９）に向けて、ステップＳ１３以降の処理に移行する。
【０２２７】
次に、ステップＳ１３、Ｓ１４では、条件Ａを満たす場合ではあるが、すぐに、優先給湯運転（ステップＳ１７〜Ｓ１９）に移行するのではなく、ステップＳ１３において、所定の第１時間ｔｍ１のカウントを開始し、ステップＳ１１と同じく、第２利用側コントローラ１０８ａによって指令されている温調モードにおける運転（すなわち、「優先給湯運転＝ＯＦＦ」）を継続する。ここで、第１時間ｔｍ１は、ステップＳ１２の処理が終了してからステップＳ１５、Ｓ１６の処理が行われるまでの時間間隔に相当するものであり、数分から１０分程度に設定される。
【０２２８】
次に、ステップＳ１５において、条件Ｂを満たすかどうかを判定する。ここで、条件Ｂは、第２利用側コントローラ１０８ａによって指令されている温調モードが熱源側放熱運転状態（すなわち、「温調モード＝冷房」）であり、かつ、第１利用側コントローラ７７ａによって第１利用ユニット４ａに給湯運転が指令されたかどうか（すなわち、「給湯運転要求＝ＯＮ」）であり、かつ、第２利用ユニット１０ａ、１０ｂの冷房運転中に第１利用ユニット４ａの給湯運転を行う排熱給湯運転が行われていないかどうか（すなわち、「排熱給湯運転要求＝ＯＦＦ」）であり、かつ、第１時間ｔｍ１が経過したかどうか（図５では、この状態を「ｔｍ１タイムアップ」とする）、又は、外気温度Ｔｏが所定の低温条件温度Ｔｏｌより低いかどうか（図５では、この状態を「Ｔｏ＜Ｔｏｌ」とする）であり、これにより、ステップＳ１２において、条件Ａを満たす状態が第１時間ｔｍ１継続しており給湯運転の要求が確実なもの（例えば、排熱給湯運転では所望の給湯負荷をまかなうことができない状態）であるか、又は、外気温度Ｔｏが低温条件であるにもかかわらず、第２利用側コントローラ１０８ａによって指令されている温調モードが熱源側放熱運転状態（すなわち、「温調モード＝冷房」）になっているかを判定する。ここで、低温条件温度Ｔｏｌは、第２利用ユニット１０ａ、１０ｂの暖房運転を行うことが想定される最も高い温度に相当するものであり、１５℃程度に設定される。そして、このステップＳ１５において、条件Ｂを満たさないと判定された場合、すなわち、温調モードが熱源側蒸発運転状態である場合（すなわち、「温調モード≠冷房」）、又は、第１利用側コントローラ７７ａによって第１利用ユニット４ａに給湯運転が指令されていない場合（すなわち、「給湯運転要求＝ＯＦＦ」）、又は、第２利用ユニット１０ａ、１０ｂの冷房運転中に第１利用ユニット４ａの給湯運転を行う排熱給湯運転が行われている場合（図５では、この排熱給湯運転が行われている状態を「排熱給湯運転要求＝ＯＮ」とする）には、ステップＳ１６の条件Ｄを満たすものと判定して、ステップＳ１の第２利用側コントローラ１０８ａによって指令されている温調モードにおける運転（すなわち、「優先給湯運転＝ＯＦＦ」）を継続し、条件Ｂを満たすと判定された場合には、給湯運転の要求が確実なものとなっている状態、又は、外気温度Ｔｏが低温条件であるにもかかわらず第２利用側コントローラ１０８ａによって指令されている温調モードが熱源側放熱運転状態（すなわち、「温調モード＝冷房」）になっている状態であるため、優先給湯運転（ステップＳ１７〜Ｓ１９）に移行する。
【０２２９】
次に、ステップＳ１７〜Ｓ１９では、まず、ステップＳ１７において、所定の第２時間ｔｍ２のカウントを開始する。ここで、第２時間ｔｍ２は、優先給湯運転を行う時間に相当するものであり、１０分から３０分程度に設定される。そして、ステップＳ１８において、第２利用側コントローラ１０８ａが温調モードを熱源側放熱運転状態（すなわち、「温調モード＝冷房」）に指令しているにもかかわらず、温調モードを熱源側蒸発運転状態に切り換えるとともに、循環ポンプ４３ａの起動や第１利用側流量調節弁４１ａの開操作等を行って第１利用ユニット４ａの給湯運転（すなわち、優先給湯運転）を開始する。
【０２３０】
ところで、このような優先給湯運転を行うために、温調モードを熱源側放熱運転状態から熱源側蒸発運転状態に切り換えると、第２利用ユニット１０ａ、１０ｂが暖房運転を行う状態に切り換えられることになり、優先給湯運転が開始されるまで第２利用ユニット１０ａ、１０ｂが冷房運転を行っていた場合には、第２利用ユニット１０ａ、１０ｂが暖房運転を行う状態になり、また、優先給湯運転中に第２利用側コントローラ１０８ａ、１０８ｂから第２利用ユニット１０ａ、１０ｂに冷房運転が指令された場合に暖房運転を開始してしまうため、室内の快適性が損なわれて好ましくない。そこで、このヒートポンプシステム３００では、第１実施形態のヒートポンプシステム１と同様に、優先給湯運転中は、第２利用ユニット１０ａ、１０ｂの冷房運転を禁止するようにしている。
【０２３１】
また、上述のように、優先給湯運転において、第２利用ユニット１０ａ、１０ｂの冷房運転を禁止する際に、第２利用側コントローラ１０８ａ、１０８ｂから冷房運転が指令されている第２利用ユニット１０ａ、１０ｂについて、利用側ファン１０５ａ、１０５ｂの運転も停止してしまうと、ユーザーが第２利用ユニット１０ａ、１０ｂの故障が発生したものと誤解するおそれがある。そこで、このヒートポンプシステム３００では、第１実施形態のヒートポンプシステム１と同様に、第２利用側コントローラ１０８ａ、１０８ｂから冷房運転が指令されている第２利用ユニット１０ａ、１０ｂについては、優先給湯運転中は、第２利用側流量調節弁１０２ａ、１０２ｂの閉操作等を行って冷房運転を停止した状態で利用側ファン１０５ａ、１０５ｂを運転するようにしている。ここで、利用側ファン１０５ａ、１０５ｂの運転周波数は、室内のドラフト防止のために、最低周波数にすることが好ましい。
【０２３２】
さらに、上述のように、優先給湯運転において、第２利用ユニット１０ａ、１０ｂの冷房運転を停止することに連動して、第２利用側コントローラ１０８ａ、１０８ｂにおける第２利用ユニット１０ａ、１０ｂの運転状態の表示を変更（すなわち、冷房運転を停止に変更）してしまうと、ユーザーが第２利用ユニット１０ａ、１０ｂの故障が発生したものと誤解するおそれがある。そこで、このヒートポンプシステム３００では、第１実施形態のヒートポンプシステム１と同様に、優先給湯運転における第２利用ユニット１０ａ、１０ｂの冷房運転の停止中においても、第２利用側コントローラ１０８ａ、１０８ｂが冷房運転中である旨の表示を維持するようにしている。
【０２３３】
そして、この優先給湯運転は、ステップＳ１９において、条件Ｃを満たすまで継続される。ここで、条件Ｃは、第２利用側コントローラ１０８ａによって温調モードが熱源側蒸発運転状態に切り換えるように指令されるか（すなわち、「温調モード≠冷房」）、又は、第１利用側コントローラ７７ａによって第１利用ユニット４ａに給湯運転を停止する指令がされるか（すなわち、「給湯運転要求＝ＯＦＦ」）又は、外気温度Ｔｏが所定の高温条件温度Ｔｏｈより高い状態（図５では、この状態を「Ｔｏ＞Ｔｏｈ」とする）で第２時間ｔｍ２が経過するか（図５では、この状態を「ｔｍ２タイムアップ」とする）であり、これにより、ステップＳ１９において、優先給湯運転を行わなくても給湯運転が可能な状態になったか、又は、給湯運転が不要になったか、又は、優先給湯運転が第２時間ｔｍ２継続したかを判定する。ここで、高温条件温度Ｔｏｈは、第２利用ユニット１０ａ、１０ｂの冷房運転を行うことが想定される最も低い温度に相当するものであり、２０℃程度に設定される。そして、優先給湯運転は、このステップＳ１９において、条件Ｃを満たすと判定されるまで、すなわち、優先給湯運転を行わなくても給湯運転が可能な状態になり、又は、給湯運転が不要になり、又は、優先給湯運転が第２時間ｔｍ２継続するまで継続され、その後、第２利用側コントローラ１０８ａが指令している温調モードにおける運転に戻す処理（ステップＳ２０、Ｓ１１）に移行する。
【０２３４】
次に、ステップＳ２０、Ｓ１１では、まず、ステップＳ２０において、所定の第３時間ｔｍ３のカウントを開始し、そして、ステップＳ１１において、第２利用側コントローラ１０８ａが指令している温調モードにおける運転に戻す処理が行われる。ここで、第３時間ｔｍ３は、優先給湯運転が要求されている場合において、優先給湯運転を行なわずに第２利用側コントローラ１０８ａが指令している温調モードにおける運転を行う時間に相当するものであり、５分から２５分程度に設定される。例えば、第２利用ユニット１０ａ、１０ｂの冷房運転中に第１利用ユニット４ａの給湯運転が要求された場合には、優先給湯運転が第２時間ｔｍ２だけ行われ、冷房運転が第３時間ｔｍ３だけ行われることになる。
【０２３５】
以上のような温調モード切り換え制御によって、このヒートポンプシステム３００では、第２利用ユニット１０ａ、１０ｂの運転が停止している場合、又は、冷房運転が行われている場合（すなわち、第２利用側コントローラ１０８ａが指令している温調モードが熱源側放熱運転状態である場合）において、第１利用ユニット１０ａに給湯運転が要求された場合（すなわち、第１利用側コントローラ７７ａから第１利用ユニット４ａに給湯運転が指令された場合）には、第２利用側コントローラ１０８ａが温調モードを熱源側放熱運転状態に指令しているにもかかわらず、温調モードを熱源側蒸発運転状態に切り換えて優先給湯運転を行うことができる、すなわち、第２利用側コントローラ１０８ａが指令している温調モードとしての熱源側切換機構２３の切換状態とは異なる温調モードに切り換えて運転することが可能になっている。
【０２３６】
これにより、このヒートポンプシステム３００においても、第１実施形態のヒートポンプシステム１と同様の作用効果を得ることができる。
【０２３７】
（第４実施形態）
上述の第２実施形態におけるヒートポンプシステム２００（図３参照）においては、第１利用ユニット４ａの給湯運転を行うとともに第２利用ユニット１０ａ、１０ｂの冷房運転を行うことができないため、このような運転（以下、「排熱給湯運転」とする）を行うことができれば、夏期等の冷房運転が行われている運転状態において、第２利用側熱交換器１０１ａ、１０１ｂにおける蒸発負荷（すなわち、冷房負荷）に見合う分の第１利用側熱交換器４ａにおける放熱負荷（すなわち、給湯負荷）によって給湯運転を行うことができるようになるため、省エネルギー化の観点から好ましい。
【０２３８】
そこで、このヒートポンプシステム４００では、上述の第２実施形態にかかるヒートポンプシステム１（図３参照）の構成において、図６に示されるように、第２利用側熱交換器１０１ａ、１０１ｂを熱源側冷媒の蒸発器として機能させることで空気媒体を冷却するとともに、第１利用側熱交換器４１ａを熱源側冷媒の放熱器として機能させることで水媒体を加熱する運転である排熱給湯運転を行うことができるようにしている。以下、このヒートポンプシステム４００の構成について説明する。
【０２３９】
＜構成＞
−全体−
図６は、本発明の第４実施形態にかかるヒートポンプシステム４００の概略構成図である。ヒートポンプシステム４００は、蒸気圧縮式のヒートポンプサイクルを利用して水媒体を加熱する運転等を行うことが可能な装置である。
【０２４０】
ヒートポンプシステム４００は、主として、熱源ユニット２と、第１利用ユニット４ａと、第２利用ユニット１０ａ、１０ｂと、吐出冷媒連絡管１２と、液冷媒連絡管１３と、ガス冷媒連絡管１４と、貯湯ユニット８ａと、温水暖房ユニット９ａと、水媒体連絡管１５ａと、水媒体連絡管１６ａとを備えており、熱源ユニット２と第１利用ユニット４ａと第２利用ユニット１０ａとが冷媒連絡管１２、１３、１４を介して接続されることによって、熱源側冷媒回路２０を構成し、第１利用ユニット４ａが利用側冷媒回路４０ａを構成し、第１利用ユニット４ａと貯湯ユニット８ａと温水暖房ユニット９ａとが水媒体連絡管１５ａ、１６ａを介して接続されることによって、水媒体回路８０ａを構成している。熱源側冷媒回路２０には、ＨＦＣ系冷媒の一種であるＨＦＣ−４１０Ａが熱源側冷媒として封入されており、また、ＨＦＣ系冷媒に対して相溶性を有するエステル系又はエーテル系の冷凍機油が熱源側圧縮機２２の潤滑のために封入されている。また、利用側冷媒回路４０ａには、ＨＦＣ系冷媒の一種であるＨＦＣ−１３４ａが利用側冷媒として封入されており、また、ＨＦＣ系冷媒に対して相溶性を有するエステル系又はエーテル系の冷凍機油が利用側圧縮機６２ａの潤滑のために封入されている。尚、利用側冷媒としては、高温の冷凍サイクルに有利な冷媒を使用されるという観点から、飽和ガス温度６５℃に相当する圧力がゲージ圧で高くとも２．８ＭＰａ以下、好ましくは、２．０ＭＰａ以下の冷媒を使用することが好ましい。そして、ＨＦＣ−１３４ａは、このような飽和圧力特性を有する冷媒の一種である。また、水媒体回路８０ａには、水媒体としての水が循環するようになっている。
【０２４１】
尚、このヒートポンプシステム４００の構成は、第２利用ユニット１０ａ、１０ｂ、貯湯ユニット８ａ、温水暖房ユニット９ａ、液冷媒連絡管１３、ガス冷媒連絡管１４、水媒体連絡管１５ａ、１６ａ、第１利用側コントローラ７７ａ、及び、第２利用側コントローラ１０８ａ、１０８ｂの構成については、第２実施形態におけるヒートポンプシステム２００（図３参照）と同様の構成であり、また、熱源ユニット２及び吐出冷媒連絡管１２の構成については、第３実施形態におけるヒートポンプシステム３００（図４参照）と同様の構成であるため、これらの構成については、同じ符号を付して説明を省略し、第１利用ユニット４ａの構成のみについて説明を行う。
【０２４２】
−第１利用ユニット−
第１利用ユニット４ａは、屋内に設置されており、冷媒連絡管１２、１３を介して熱源ユニット２及び第２利用ユニット１０ａに接続されており、熱源側冷媒回路２０の一部を構成している。また、第１利用ユニット４ａは、利用側冷媒回路４０ａを構成している。さらに、第１利用ユニット４ａは、水媒体連絡管１５ａ、１６ａを介して貯湯ユニット８ａ及び温水暖房ユニット９ａに接続されており、水媒体回路８０ａの一部を構成している。
【０２４３】
第１利用ユニット４ａは、主として、第１利用側熱交換器４１ａと、第１利用側流量調節弁４２ａと、利用側圧縮機６２ａと、冷媒−水熱交換器６５ａと、冷媒−水熱交側流量調節弁６６ａと、利用側アキュムレータ６７ａと、循環ポンプ４３ａとを有している。
【０２４４】
ここで、第１利用側熱交換器４１ａには、その熱源側冷媒が流れる流路のガス側に、第２実施形態におけるヒートポンプシステム２００（図３参照）のようなガス冷媒連絡管１４に接続された第１利用側ガス冷媒管５４ａに代えて、吐出冷媒連絡管１２が接続された第１利用側吐出冷媒管４６ａが接続されている。第１利用側吐出冷媒管４６ａには、吐出冷媒連絡管１２から第１利用側熱交換器４１ａへ向かう熱源側冷媒の流れを許容し、第１利用側熱交換器４１ａから吐出冷媒連絡管１２へ向かう熱源側冷媒の流れを禁止する第１利用側吐出逆止弁４９ａが設けられている。
【０２４５】
尚、利用ユニット４ａは、第１利用側ガス冷媒管５４ａに代えて、第１利用側吐出冷媒管４６ａが接続されている点を除いた構成については、第２実施形態におけるヒートポンプシステム２００（図３参照）と同様であるため、ここでは、同じ符号を付して説明を省略する。
【０２４６】
＜動作＞
次に、ヒートポンプシステム４００の動作について説明する。
【０２４７】
ヒートポンプシステム４００の運転としては、第１利用ユニット４ａの給湯運転（すなわち、貯湯ユニット８ａ及び／又は温水暖房ユニット９ａの運転）のみを行う給湯運転と、第２利用ユニット１０ａ及び／又は第２利用ユニット１０ｂの冷房運転のみを行う冷房運転と、第２利用ユニット１０ａ及び／又は第２利用ユニット１０ｂの暖房運転のみを行う暖房運転と、第１利用ユニット４ａの給湯運転を行うとともに第２利用ユニット１０ａ及び／又は第２利用ユニット１０ｂの暖房運転を行う給湯暖房運転と、第１利用ユニット４ａの給湯運転を行うとともに第２利用ユニット１０ａ及び／又は第２利用ユニット１０ｂの冷房運転を行う排熱給湯運転とがある。
【０２４８】
以下、ヒートポンプシステム４００の５つの運転における動作について説明する。
【０２４９】
−給湯運転−
第１利用ユニット４ａの給湯運転のみを行う場合には、熱源側冷媒回路２０においては、熱源側切換機構２３が熱源側蒸発運転状態（図６の熱源側切換機構２３の破線で示された状態）に切り換えられ、吸入戻し膨張弁２６ａ及び第２利用側流量調節弁１０２ａ、１０２ｂが閉止された状態になる。また、水媒体回路８０ａにおいては、水媒体切換機構１６１ａが貯湯ユニット８ａ及び／又は温水暖房ユニット９ａに水媒体を供給する状態に切り換えられる。ここでは、第２利用側コントローラ１０８ａ、１０８ｂのうちの１つによって、温調モードとしての熱源側切換機構２３の切換状態を熱源側蒸発運転状態に切り換えた上で、第１利用側コントローラ７７ａの運転指令によって、第１利用ユニット４ａ（及び、貯湯ユニット８ａ及び／又は温水暖房ユニット９ａ）の運転（給湯運転）が行われる。
【０２５０】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側吐出分岐管２１ｄ及び吐出側閉鎖弁３１を通じて、熱源ユニット２から吐出冷媒連絡管１２に送られる。
【０２５１】
吐出冷媒連絡管１２に送られた高圧の熱源側冷媒は、第１利用ユニット４ａに送られる。第１利用ユニット４ａに送られた高圧の熱源側冷媒は、第１利用側吐出冷媒管４６ａ及び第１利用側吐出逆止弁４９ａを通じて、第１利用側熱交換器４１ａに送られる。第１利用側熱交換器４１ａに送られた高圧の熱源側冷媒は、第１利用側熱交換器４１ａにおいて、利用側冷媒回路４０ａを循環する冷凍サイクルにおける低圧の利用側冷媒と熱交換を行って放熱する。第１利用側熱交換器４１ａにおいて放熱した高圧の熱源側冷媒は、第１利用側流量調節弁４２ａ及び第１利用側液冷媒管４５ａを通じて、第１利用ユニット４ａから液冷媒連絡管１３に送られる。
【０２５２】
液冷媒連絡管１３に送られた熱源側冷媒は、熱源ユニット２に送られる。熱源ユニット２に送られた熱源側冷媒は、液側閉鎖弁２９を通じて、過冷却器２７に送られる。過冷却器２７に送られた熱源側冷媒は、吸入戻し管２６に熱源側冷媒が流れていないため、熱交換を行うことなく、熱源側膨張弁２５に送られる。熱源側膨張弁２５に送られた熱源側冷媒は、熱源側膨張弁２５において減圧されて、低圧の気液二相状態になり、熱源側液冷媒管２４ａを通じて、熱源側熱交換器２４に送られる。熱源側熱交換器２４に送られた低圧の冷媒は、熱源側熱交換器２４において、熱源側ファン３２によって供給される室外空気と熱交換を行って蒸発する。熱源側熱交換器２４において蒸発した低圧の熱源側冷媒は、第１熱源側ガス冷媒管２３ａ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０２５３】
一方、利用側冷媒回路４０ａにおいては、第１利用側熱交換器４１ａにおける熱源側冷媒の放熱によって利用側冷媒回路４０ａを循環する冷凍サイクルにおける低圧の利用側冷媒が加熱されて蒸発する。第１利用側熱交換器４１ａにおいて蒸発した低圧の利用側冷媒は、第２カスケード側ガス冷媒管６９ａを通じて、利用側アキュムレータ６７ａに送られる。利用側アキュムレータ６７ａに送られた低圧の利用側冷媒は、カスケード側吸入管７１ａを通じて、利用側圧縮機６２ａに吸入され、冷凍サイクルにおける高圧まで圧縮された後に、カスケード側吐出管７０ａに吐出される。カスケード側吐出管７０ａに吐出された高圧の利用側冷媒は、第１カスケード側ガス冷媒管７２ａを通じて、冷媒−水熱交換器６５ａに送られる。冷媒−水熱交換器６５ａに送られた高圧の利用側冷媒は、冷媒−水熱交換器６５ａにおいて、循環ポンプ４３ａによって水媒体回路８０ａを循環する水媒体と熱交換を行って放熱する。冷媒−水熱交換器６５ａにおいて放熱した高圧の利用側冷媒は、冷媒−水熱交側流量調節弁６６ａにおいて減圧されて、低圧の気液二相状態になり、カスケード側液冷媒管６８ａを通じて、再び、第１利用側熱交換器４１ａに送られる。
【０２５４】
また、水媒体回路８０ａにおいては、冷媒−水熱交換器６５ａにおける利用側冷媒の放熱によって水媒体回路８０ａを循環する水媒体が加熱される。冷媒−水熱交換器６５ａにおいて加熱された水媒体は、第１利用側水出口管４８ａを通じて、循環ポンプ４３ａに吸入され、昇圧された後に、第１利用ユニット４ａから水媒体連絡管１６ａに送られる。貯湯ユニット８ａに送られた水媒体は、熱交換コイル８２ａにおいて貯湯タンク８１ａ内の水媒体と熱交換を行って放熱し、これにより、貯湯タンク８１ａ内の水媒体を加熱する。温水暖房ユニット９ａに送られた水媒体は、熱交換パネル９１ａにおいて放熱し、これにより、室内の壁際等を加熱したり室内の床を加熱する。
【０２５５】
このようにして、第１利用ユニット４ａの給湯運転のみを行う給湯運転における動作が行われる。
【０２５６】
−冷房運転−
第２利用ユニット１０ａ及び／又は第２利用ユニット１０ｂの冷房運転のみを行う場合には、熱源側冷媒回路２０においては、熱源側切換機構２３が熱源側放熱運転状態（図６の熱源側切換機構２３の実線で示された状態）に切り換えられ、第１利用側流量調節弁４２ａが閉止された状態になる。ここでは、第２利用側コントローラ１０８ａ、１０８ｂのうちの１つによって、温調モードとしての熱源側切換機構２３の切換状態を熱源側放熱運転状態に切り換えた上で、第２利用側コントローラ１０８ａ及び／又は第２利用側コントローラ１０８ｂの運転指令によって、第２利用ユニット１０ａ及び／又は第２利用ユニット１０ｂの運転（冷房運転）が行われる。尚、冷房運転については、第２実施形態のヒートポンプシステム２００における冷房運転と同様であるため、ここでは説明を省略する。
【０２５７】
−暖房運転−
第２利用ユニット１０ａ及び／又は第２利用ユニット１０ｂの暖房運転のみを行う場合には、熱源側冷媒回路２０においては、熱源側切換機構２３が熱源側放熱運転状態（図６の熱源側切換機構２３の破線で示された状態）に切り換えられ、吸入戻し膨張弁２６ａ及び第１利用側流量調節弁４２ａが閉止された状態になる。ここでは、第２利用側コントローラ１０８ａ、１０８ｂのうちの１つによって、温調モードとしての熱源側切換機構２３の切換状態を熱源側蒸発運転状態に切り換えた上で、第２利用側コントローラ１０８ａ及び／又は第２利用側コントローラ１０８ｂの運転指令によって、第２利用ユニット１０ａ及び／又は第２利用ユニット１０ｂの運転（暖房運転）が行われる。尚、暖房運転については、第２実施形態のヒートポンプシステム２００における暖房運転と同様であるため、ここでは説明を省略する。
【０２５８】
−給湯暖房運転−
第１利用ユニット４ａの給湯運転を行うとともに第２利用ユニット１０ａ及び／又は第２利用ユニット１０ｂの暖房運転を行う場合には、熱源側冷媒回路２０においては、熱源側切換機構２３が熱源側蒸発運転状態（図６の熱源側切換機構２３の破線で示された状態）に切り換えられ、吸入戻し膨張弁２６ａが閉止された状態になる。また、水媒体回路８０ａにおいては、水媒体切換機構１６１ａが貯湯ユニット８ａ及び／又は温水暖房ユニット９ａに水媒体を供給する状態に切り換えられる。ここでは、第２利用側コントローラ１０８ａ、１０８ｂのうちの１つによって、温調モードとしての熱源側切換機構２３の切換状態を熱源側蒸発運転状態に切り換えた上で、第１利用側コントローラ７７ａの運転指令によって、第１利用ユニット４ａ（及び、貯湯ユニット８ａ及び／又は温水暖房ユニット９ａ）の運転（給湯運転）と、第２利用側コントローラ１０８ａ及び／又は第２利用側コントローラ１０８ｂの運転指令によって、第２利用ユニット１０ａ及び／又は第２利用ユニット１０ｂの運転（暖房運転）が行われる。
【０２５９】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、その一部が、熱源側吐出分岐管２１ｄ及び吐出側閉鎖弁３１を通じて、熱源ユニット２から吐出冷媒連絡管１２に送られ、その残りが、熱源側切換機構２３、第２熱源側ガス冷媒管２３ｂ及びガス側閉鎖弁３０を通じて、熱源ユニット２からガス冷媒連絡管１４に送られる。
【０２６０】
ガス冷媒連絡管１４に送られた高圧の熱源側冷媒は、第２利用ユニット１０ａ、１０ｂ（ここでは、第２利用ユニット１０ａ、１０ｂの両方を暖房運転するものとして説明する）に送られる。第２利用ユニット１０ａ、１０ｂに送られた高圧の熱源側冷媒は、第２利用側ガス冷媒管１０４ａ、１０４ｂを通じて、第２利用側熱交換器１０１ａ、１０１ｂに送られる。第２利用側熱交換器１０１ａ、１０１ｂに送られた高圧の熱源側冷媒は、第２利用側熱交換器１０１ａ、１０１ｂにおいて、利用側ファン１０５ａ、１０５ｂによって供給される空気媒体と熱交換を行って放熱し、これにより、室内の暖房を行う。第２利用側熱交換器１０１ａ、１０１ｂにおいて放熱した高圧の熱源側冷媒は、第２利用側流量調節弁１０２ａ、１０２ｂ及び第２利用側液冷媒管１０３ａ、１０３ｂを通じて、第２利用ユニット１０ａ、１０ｂから液冷媒連絡管１３に送られる。
【０２６１】
吐出冷媒連絡管１２に送られた高圧の熱源側冷媒は、第１利用ユニット４ａに送られる。第１利用ユニット４ａに送られた高圧の熱源側冷媒は、第１利用側吐出冷媒管４６ａ及び第１利用側吐出逆止弁４９ａを通じて、第１利用側熱交換器４１ａに送られる。第１利用側熱交換器４１ａに送られた高圧の熱源側冷媒は、第１利用側熱交換器４１ａにおいて、利用側冷媒回路４０ａを循環する冷凍サイクルにおける低圧の利用側冷媒と熱交換を行って放熱する。第１利用側熱交換器４１ａにおいて放熱した高圧の熱源側冷媒は、第１利用側流量調節弁４２ａ及び第１利用側液冷媒管４５ａを通じて、第１利用ユニット４ａから液冷媒連絡管１３に送られる。
【０２６２】
第２利用ユニット１０ａ、１０ｂ及び第１利用ユニット４ａから液冷媒連絡管１３に送られた熱源側冷媒は、液冷媒連絡管１３において合流して、熱源ユニット２に送られる。熱源ユニット２に送られた熱源側冷媒は、液側閉鎖弁２９を通じて、過冷却器２７に送られる。過冷却器２７に送られた熱源側冷媒は、吸入戻し管２６に熱源側冷媒が流れていないため、熱交換を行うことなく、熱源側膨張弁２５に送られる。熱源側膨張弁２５に送られた熱源側冷媒は、熱源側膨張弁２５において減圧されて、低圧の気液二相状態になり、熱源側液冷媒管２４ａを通じて、熱源側熱交換器２４に送られる。熱源側熱交換器２４に送られた低圧の冷媒は、熱源側熱交換器２４において、熱源側ファン３２によって供給される室外空気と熱交換を行って蒸発する。熱源側熱交換器２４において蒸発した低圧の熱源側冷媒は、第１熱源側ガス冷媒管２３ａ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０２６３】
一方、利用側冷媒回路４０ａにおいては、第１利用側熱交換器４１ａにおける熱源側冷媒の放熱によって利用側冷媒回路４０ａを循環する冷凍サイクルにおける低圧の利用側冷媒が加熱されて蒸発する。第１利用側熱交換器４１ａにおいて蒸発した低圧の利用側冷媒は、第２カスケード側ガス冷媒管６９ａを通じて、利用側アキュムレータ６７ａに送られる。利用側アキュムレータ６７ａに送られた低圧の利用側冷媒は、カスケード側吸入管７１ａを通じて、利用側圧縮機６２ａに吸入され、冷凍サイクルにおける高圧まで圧縮された後に、カスケード側吐出管７０ａに吐出される。カスケード側吐出管７０ａに吐出された高圧の利用側冷媒は、第１カスケード側ガス冷媒管７２ａを通じて、冷媒−水熱交換器６５ａに送られる。冷媒−水熱交換器６５ａに送られた高圧の利用側冷媒は、冷媒−水熱交換器６５ａにおいて、循環ポンプ４３ａによって水媒体回路８０ａを循環する水媒体と熱交換を行って放熱する。冷媒−水熱交換器６５ａにおいて放熱した高圧の利用側冷媒は、冷媒−水熱交側流量調節弁６６ａにおいて減圧されて、低圧の気液二相状態になり、カスケード側液冷媒管６８ａを通じて、再び、第１利用側熱交換器４１ａに送られる。
【０２６４】
また、水媒体回路８０ａにおいては、冷媒−水熱交換器６５ａにおける利用側冷媒の放熱によって水媒体回路８０ａを循環する水媒体が加熱される。冷媒−水熱交換器６５ａにおいて加熱された水媒体は、第１利用側水出口管４８ａを通じて、循環ポンプ４３ａに吸入され、昇圧された後に、第１利用ユニット４ａから水媒体連絡管１６ａに送られる。貯湯ユニット８ａに送られた水媒体は、熱交換コイル８２ａにおいて貯湯タンク８１ａ内の水媒体と熱交換を行って放熱し、これにより、貯湯タンク８１ａ内の水媒体を加熱する。温水暖房ユニット９ａに送られた水媒体は、熱交換パネル９１ａにおいて放熱し、これにより、室内の壁際等を加熱したり室内の床を加熱する。
【０２６５】
このようにして、第１利用ユニット４ａの給湯運転を行うとともに第２利用ユニット１０ａ及び／又は第２利用ユニット１０ｂの暖房運転を行う給湯暖房運転における動作が行われる。
【０２６６】
−排熱給湯運転−
第１利用ユニット４ａの給湯運転を行うとともに第２利用ユニット１０ａ及び／又は第２利用ユニット１０ｂの冷房運転を行う排熱給湯運転を行う場合には、熱源側冷媒回路２０においては、熱源側切換機構２３が熱源側放熱運転状態（図６の熱源側切換機構２３の実線で示された状態）に切り換えられた状態になる。また、水媒体回路８０ａにおいては、水媒体切換機構１６１ａが貯湯ユニット８ａに水媒体を供給する状態に切り換えられる。ここでは、第２利用側コントローラ１０８ａ、１０８ｂのうちの１つによって、温調モードとしての熱源側切換機構２３の切換状態を熱源側蒸発運転状態に切り換えた上で、第１利用側コントローラ７７ａの運転指令によって、第１利用ユニット４ａ（及び、貯湯ユニット８ａ及び／又は温水暖房ユニット９ａ）の運転（給湯運転）と、第２利用側コントローラ１０８ａ及び／又は第２利用側コントローラ１０８ｂの運転指令によって、第２利用ユニット１０ａ及び／又は第２利用ユニット１０ｂの運転（冷房運転）が行われる。
【０２６７】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、その一部が、熱源側吐出分岐管２１ｄ及び吐出側閉鎖弁３１を通じて、熱源ユニット２から吐出冷媒連絡管１２に送られ、その残りが、熱源側切換機構２３及び第１熱源側ガス冷媒管２３ａを通じて、熱源側熱交換器２４に送られる。熱源側熱交換器２４に送られた高圧の熱源側冷媒は、熱源側熱交換器２４において、熱源側ファン３２によって供給される室外空気と熱交換を行って放熱する。熱源側熱交換器において放熱した高圧の熱源側冷媒は、熱源側膨張弁２５を通じて、過冷却器２７に送られる。過冷却器２７に送られた熱源側冷媒は、熱源側液冷媒管２４ａから吸入戻し管２６に分岐された熱源側冷媒と熱交換を行って過冷却状態になるように冷却される。吸入戻し管２６を流れる熱源側冷媒は、熱源側吸入管２１ｃに戻される。過冷却器２７において冷却された熱源側冷媒は、熱源側液冷媒管２４ａ及び液側閉鎖弁２９を通じて、熱源ユニット２から液冷媒連絡管１３に送られる。
【０２６８】
吐出冷媒連絡管１２に送られた高圧の熱源側冷媒は、第１利用ユニット４ａに送られる。第１利用ユニット４ａに送られた高圧の熱源側冷媒は、第１利用側吐出冷媒管４６ａ及び第１利用側吐出逆止弁４９ａを通じて、第１利用側熱交換器４１ａに送られる。第１利用側熱交換器４１ａに送られた高圧の熱源側冷媒は、第１利用側熱交換器４１ａにおいて、利用側冷媒回路４０ａを循環する冷凍サイクルにおける低圧の利用側冷媒と熱交換を行って放熱する。第１利用側熱交換器４１ａにおいて放熱した高圧の熱源側冷媒は、第１利用側流量調節弁４２ａ及び第１利用側液冷媒管４５ａを通じて、第１利用ユニット４ａから液冷媒連絡管１３に送られる。
【０２６９】
熱源ユニット２及び第１利用ユニット４ａから液冷媒連絡管１３に送られた熱源側冷媒は、液冷媒連絡管１３において合流して、第２利用ユニット１０ａ、１０ｂ（ここでは、第２利用ユニット１０ａ、１０ｂの両方を暖房運転するものとして説明する）に送られる。第２利用ユニット１０ａ、１０ｂに送られた熱源側冷媒は、第２利用側流量調節弁１０２ａ、１０２ｂに送られる。第２利用側流量調節弁１０２ａ、１０２ｂに送られた熱源側冷媒は、第２利用側流量調節弁１０２ａ、１０２ｂにおいて減圧されて、低圧の気液二相状態になり、第２利用側液冷媒管１０３ａ、１０３ｂを通じて、第２利用側熱交換器１０１ａ、１０１ｂに送られる。第２利用側熱交換器１０１ａ、１０１ｂに送られた低圧の熱源側冷媒は、第２利用側熱交換器１０１ａ、１０１ｂにおいて、利用側ファン１０５ａ、１０５ａによって供給される空気媒体と熱交換を行って蒸発し、これにより、室内の冷房を行う。第２利用側熱交換器１０１ａ、１０１ｂにおいて蒸発した低圧の熱源側冷媒は、第２利用側ガス冷媒管１０４ａ、１０４ｂを通じて、第２利用ユニット１０ａ、１０ｂからガス冷媒連絡管１４に送られる。
【０２７０】
ガス冷媒連絡管１４に送られた低圧の熱源側冷媒は、熱源ユニット２に送られる。熱源ユニット２に送られた低圧の熱源側冷媒は、ガス側閉鎖弁３０、第２熱源側ガス冷媒管２３ｂ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【０２７１】
一方、利用側冷媒回路４０ａにおいては、第１利用側熱交換器４１ａにおける熱源側冷媒の放熱によって利用側冷媒回路４０ａを循環する冷凍サイクルにおける低圧の利用側冷媒が加熱されて蒸発する。第１利用側熱交換器４１ａにおいて蒸発した低圧の利用側冷媒は、第２カスケード側ガス冷媒管６９ａを通じて、利用側アキュムレータ６７ａに送られる。利用側アキュムレータ６７ａに送られた低圧の利用側冷媒は、カスケード側吸入管７１ａを通じて、利用側圧縮機６２ａに吸入され、冷凍サイクルにおける高圧まで圧縮された後に、カスケード側吐出管７０ａに吐出される。カスケード側吐出管７０ａに吐出された高圧の利用側冷媒は、第１カスケード側ガス冷媒管７２ａを通じて、冷媒−水熱交換器６５ａに送られる。冷媒−水熱交換器６５ａに送られた高圧の利用側冷媒は、冷媒−水熱交換器６５ａにおいて、循環ポンプ４３ａによって水媒体回路８０ａを循環する水媒体と熱交換を行って放熱する。冷媒−水熱交換器６５ａにおいて放熱した高圧の利用側冷媒は、冷媒−水熱交側流量調節弁６６ａにおいて減圧されて、低圧の気液二相状態になり、カスケード側液冷媒管６８ａを通じて、再び、第１利用側熱交換器４１ａに送られる。
【０２７２】
また、水媒体回路８０ａにおいては、第１利用側熱交換器４１ａにおける熱源側冷媒の放熱によって水媒体回路８０ａを循環する水媒体が加熱される。第１利用側熱交換器４１ａにおいて加熱された水媒体は、第１利用側水出口管４８ａを通じて、循環ポンプ４３ａに吸入され、昇圧された後に、第１利用ユニット４ａから水媒体連絡管１６ａに送られる。水媒体連絡管１６ａに送られた水媒体は、水媒体側切換機構１６１ａを通じて、貯湯ユニット８ａ及び／又は温水暖房ユニット９ａに送られる。貯湯ユニット８ａに送られた水媒体は、熱交換コイル８２ａにおいて貯湯タンク８１ａ内の水媒体と熱交換を行って放熱し、これにより、貯湯タンク８１ａ内の水媒体を加熱する。
【０２７３】
このようにして、第１利用ユニット４ａの給湯運転を行うとともに第２利用ユニット１０ａ及び／又は第２利用ユニット１０ｂの冷房運転を行う排熱給湯運転における動作が行われる。
【０２７４】
このように、このヒートポンプシステム４００においても、第３実施形態のヒートポンプシステム３００と同様に、第２利用ユニット１０ａ、１０ｂに指令を行う第２利用側コントローラ１０８ａ、１０８ｂのうちの１つ（ここでは、第２利用側コントローラ１０８ａとする）が指令している温調モードとしての熱源側切換機構２３の切換状態とは異なる温調モードに切り換えて運転することが可能な温調モード切り換え制御を行うようにしている。尚、温調モード切り換え制御については、第３実施形態のヒートポンプシステム３００における温調モード切り換え制御と同様であるため（図５等参照）、ここでは説明を省略する。
【０２７５】
これにより、このヒートポンプシステム４００においても、第３実施形態のヒートポンプシステム３００と同様の作用効果を得ることができる。
【０２７６】
（他の実施形態）
以上、本発明の実施形態について図面に基づいて説明したが、具体的な構成は、これらの実施形態に限られるものではなく、発明の要旨を逸脱しない範囲で変更可能である。
【０２７７】
＜Ａ＞
上述のヒートポンプシステム１、２００、３００、４００（図１、３、４、６参照）では、第２利用側コントローラ１０８ａ、１０８ｂの１つによって温調モードの切り換えが行われるようになっているが、基本的には、指令された温調モードとは異なる温調モードに切り換えて運転することを可能にすることができればよいため、第１利用側コントローラ７７ａによって温調モードの切り換えが行われるようにしてもよいし、また、例えば、図７に示されるように、第１利用側コントローラ７７ａ及び第２利用側コントローラ１０８ａ、１０８ｂとは別の集中コントローラ３７を設けて、この集中コントローラ３７によって温調モードの切り換えを行われるようにしてもよい。ここで、集中コントローラ３７は、第１利用ユニット４ａや第２利用ユニット１０ａ、１０ｂのような個別の利用ユニットの制御設定や運転指令を行うものではなく、温調モードの切り換えを含むヒートポンプシステム全体に共通の制御設定や運転指令を行うものである。
【０２７８】
しかし、集中コントローラ３７に温調モードの切り換えを行わせるようにすると、例えば、温調モードが熱源側蒸発運転状態に切り換えられたままで放置されると、夏期等の冷房運転が必要な運転条件においては、第２利用ユニット１０ａ、１０ｂの冷房運転が行われる毎に、温調モードが熱源側放熱運転状態に切り換えられることになり、また、温調モードが熱源側放熱運転状態に切り換えられたままで放置されると、冬期等の暖房運転が必要な運転条件においては、第２利用ユニット１０ａ、１０ｂの暖房運転が行われる毎に、温調モードが熱源側蒸発運転状態に切り換えられることになり、温調モードの切り換えが頻繁に行われることになってしまう。また、第１利用側コントローラ７７ａに温調モードの切り換えを行わせるようにすると、温調モードが熱源側蒸発運転状態に切り換えられたままで放置されることがほとんどであるため、夏期等の冷房運転が必要な運転条件においては、第２利用ユニット１０ａ、１０ｂの冷房運転が行われる毎に、温調モードが熱源側放熱運転状態に切り換えられることになってしまい、温調モードの切り換えが頻繁に行われることになってしまう。このように、第１利用側コントローラ７７ａや集中コントローラ３７に温調モードの切り換えを行わせるようにすると、温調モードの切り換えが頻繁に行われるおそれがあり、好ましくない。
【０２７９】
これに対して、温調モードの切り換えを第２利用側コントローラ１０８ａ、１０８ｂによって行うようにすると、夏期等の冷房運転が必要な運転条件においては、温調モードが熱源側放熱運転状態に切り換えられた状態が維持され、また、冬期等の暖房運転が必要な運転条件においては、温調モードが熱源側蒸発運転状態に切り換えられた状態が維持されるようになり、温調モードの切り換えが頻繁に行われることを防ぐことができる。
【０２８０】
このため、指令された温調モードとは異なる温調モードに切り換えて運転することを可能にするという観点だけでいえば、基本的には、第１利用側コントローラ７７ａ、第２利用側コントローラ１０８ａ、１０８ｂ、又は、集中コントローラ３７のいずれに温調モードの切り換えを行わせるようにしてもよいが、温調モードの切り換えの頻繁さという観点を考慮すると、上述のヒートポンプシステム１、２００、３００、４００（図１、３、４、６参照）のように、温調モードの切り換えを第２利用側コントローラ１０８ａ、１０８ｂによって行われせることが好ましい。
【０２８１】
＜Ｂ＞
上述のヒートポンプシステム１、２００、３００、４００（図１、３、４、６参照）では、熱源ユニット２に１つの第１利用ユニット４ａと２つの第２利用ユニット１０ａ、１０ｂとが冷媒連絡管１３、１４等を介して接続されているが、これに限定されず、第１利用ユニットが複数であってもよいし、また、第２利用ユニットが１つや３つ以上であってもよい。
【０２８２】
＜Ｃ＞
第２、第４実施形態にかかるヒートポンプシステム２００、４００においては、利用側冷媒としてＨＦＣ−１３４ａが使用されているが、これに限定されず、例えば、ＨＦＯ−１２３４ｙｆ（２、３、３、３−テトラフルオロ−１−プロペン）等、飽和ガス温度６５℃に相当する圧力がゲージ圧で高くとも２．８ＭＰａ以下、好ましくは、２．０ＭＰａ以下の冷媒であればよい。
【産業上の利用可能性】
【０２８３】
本発明を利用すれば、水媒体を加熱する給湯運転を行う利用ユニットと空気媒体の冷却や加熱を行う利用ユニットとが両者に共通の熱源ユニットに接続されたヒートポンプシステムにおいて、所望の運転に適した温調モードの切り換えが行われるようにすることができる。
【符号の説明】
【０２８４】
１、２００、３００、４００  ヒートポンプシステム
２  熱源ユニット
４ａ  第１利用ユニット
１０ａ、１０ｂ  第２利用ユニット
２１  熱源側圧縮機
２３  熱源側切換機構
２４  熱源側熱交換器
３７  集中コントローラ
４１ａ  第１利用側熱交換器
７７ａ  第１利用側コントローラ
１０１ａ、１０１ｂ  第２利用側熱交換器
１０５ａ、１０５ｂ  利用側ファン
１０８ａ、１０８ｂ  第２利用側コントローラ
【先行技術文献】
【特許文献】
【０２８５】
【特許文献１】特開２０００−４６４１７号公報
【図１】
2010196953.tif 000003
【図２】
2010196953.tif 000004
【図３】
2010196953.tif 000005
【図４】
2010196953.tif 000006
【図５】
2010196953.tif 000007
【図６】
2010196953.tif 000008
【図７】
2010196953.tif 000009